(57)【要約】【課題】従来、番組に出現する地点に関する地点関連情報を番組と共に容易に出力できなかった。【解決手段】番組を受信する番組受信部と、番組に関連する情報であり、１または２以上の地点情報を含む番組関連情報を受信する番組関連情報受信部と、番組受信部が受信した番組を出力する番組出力部と、番組関連情報受信部が受信した番組関連情報から１または２以上の地点情報を取得する地点情報取得部と、地点情報取得部が取得した地点情報に対応する情報であり、地点情報に関する情報である１または２種類以上の地点関連情報を取得する地点関連情報取得部と、地点関連情報取得部が取得した１または２種類以上の地点関連情報を、番組と共に出力する地点関連情報出力部とを具備する番組受信装置により、番組に出現する地点に関する地点関連情報を番組と共に容易に出力できる。【選択図】図１
2015156630.tif 000002
【特許請求の範囲】
【請求項１】
出力中の番組に関連する情報であり、１または２以上のキー情報を含む番組関連情報を受信する番組関連情報受信部と、
前記番組関連情報受信部が受信した番組関連情報から、予め決められたカテゴリーに属する用語である１または２以上のキー情報を取得するキー情報取得部と、
前記キー情報取得部が取得したキー情報に対応する情報であり、前記番組の内容を補足する情報である番組補助情報を取得する番組補助情報取得部と、
前記番組補助情報取得部が取得した番組補助情報を出力する番組補助情報出力部とを具備する情報処理装置。
【請求項２】
前記番組補助情報取得部は、
２種類以上の番組補助情報を取得でき、
前記番組補助情報出力部は、
前記２種類以上の番組補助情報のうち、１または２種類以上の番組補助情報を出力する請求項１記載の情報処理装置。
【請求項３】
前記番組補助情報取得部は、
２以上のキー情報の関係に応じて、異なる種類の番組補助情報を取得する請求項２記載の情報処理装置。
【請求項４】
前記２種類以上の番組補助情報に出力の優先順位があり、
前記番組補助情報出力部は、
一の種類の番組補助情報を出力できない場合に、他の種類の番組補助情報を出力する請求項２記載の情報処理装置。
【請求項５】
前記キー情報は、
地点のカテゴリーに属する用語である地点情報であり、
前記番組補助情報は、
地点に関する情報である地点関連情報を含む請求項１から請求項４いずれか一項に記載の情報処理装置。
【請求項６】
前記番組補助情報取得部は、
前記キー情報取得部が取得した２以上の各地点情報の空間的な関係を示す空間的関係情報を取得し、当該空間的関係情報を用いて、２以上の番組補助情報を連続して取得する請求項５記載の情報処理装置。
【請求項７】
前記番組におけるシーンの切り替わりを判断するシーン判断部をさらに具備し、
前記番組補助情報出力部は、
前記シーン判断部が判断したシーンの切り替わりの際には、番組補助情報の連続した出力を行わない請求項６記載の情報処理装置。
【請求項８】
前記地点関連情報は、
地点の写真、地点のストリートビュー、および地点の地図情報のうちの１種類以上の情報を含む請求項４から請求項７いずれか一項に記載の情報処理装置。
【請求項９】
前記地点関連情報は、
地点のストリートビューを含み、
前記２種類以上の番組補助情報に出力の優先順位があり、
前記番組補助情報出力部は、
前記キー情報取得部が取得したキー情報に対応するストリートビューが出力できない場合に、前記キー情報取得部が取得したキー情報に対応する他の種類の番組補助情報を出力する請求項８記載の情報処理装置。
【請求項１０】
前記番組の種類を取得する番組種類取得部をさらに具備し、
前記番組補助情報出力部は、
前記種類に応じて、出力する番組補助情報の種類を変える、または番組補助情報の出力態様を変える請求項１から請求項９いずれか一項に記載の情報処理装置。
【請求項１１】
前記キー情報取得部は、
前記番組関連情報受信部が受信した番組関連情報から、２以上のキー情報を取得し、
前記２以上のキー情報を用いて、前記番組内で使用している移動手段の種類を示す移動手段情報を取得する移動手段情報取得部をさらに具備し、
前記番組補助情報出力部は、
前記移動手段情報に応じて、番組補助情報の出力態様を変える請求項４から請求項１０いずれか一項に記載の情報処理装置。
【請求項１２】
前記キー情報は、
人名のカテゴリーに属する用語である人名情報であり、
前記番組補助情報は、
人に関する情報である人関連情報を含む請求項１から請求項３いずれか一項に記載の情報処理装置。
【請求項１３】
番組を受信する番組受信部と、
前記番組受信部が受信した番組を出力する番組出力部とをさらに具備し、
前記番組補助情報出力部は、
前記番組補助情報を前記番組と共に出力する請求項１から請求項１２いずれか一項に記載の情報処理装置。
【請求項１４】
前記番組を出力している番組出力装置とは別の装置であり、
前記番組のチャネル番号を取得するチャネル番号取得部をさらに具備し、
前記キー情報取得部は、
前記チャネル番号に対応する番組関連情報から、予め決められたカテゴリーに属する用語である１または２以上のキー情報を取得する請求項１から請求項１２いずれか一項に記載の情報処理装置。
【請求項１５】
前記番組出力装置を制御するための指示を受け付ける指示受付部と、
前記指示受付部が受け付けた指示に応じて、前記番組出力装置に制御信号を送信する制御信号送信部とをさらに具備し、
前記指示は、チャネルの変更指示を含み、
前記チャネル番号取得部は、
前記指示受付部が受け付けたチャネルの変更指示に対応するチャネル番号を取得する請求項１４記載の情報処理装置。
【請求項１６】
番組を受信する番組受信部と、
当該番組に関連する情報であり、１または２以上の地点情報を含む番組関連情報を受信する番組関連情報受信部と、
前記番組受信部が受信した番組を出力する番組出力部と、
前記番組関連情報受信部が受信した番組関連情報から１または２以上の地点情報を取得する地点情報取得部と、
前記地点情報取得部が取得した地点情報に対応する情報であり、当該地点情報に関する情報である１または２種類以上の地点関連情報を取得する地点関連情報取得部と、
前記地点関連情報取得部が取得した１または２種類以上の地点関連情報を、前記番組と共に出力する地点関連情報出力部とを具備する番組受信装置。
【請求項１７】
前記地点関連情報取得部は、
前記地点情報取得部が取得した２以上の地点情報を用いて、２以上の地点関連情報を連続して取得し、
前記地点関連情報出力部は、
前記地点関連情報取得部が連続して取得した２以上の地点関連情報を出力することにより、地点関連情報の動きを出力する請求項１６記載の番組受信装置。
【請求項１８】
前記地点関連情報取得部は、
前記地点情報取得部が取得した２以上の各地点情報の空間的な関係を示す空間的関係情報を取得し、当該空間的関係情報を用いて、２以上の地点関連情報を連続して取得し、
かつ、取得した空間的関係情報に応じて、２以上の地点関連情報の取得方法が異なる請求項１７記載の番組受信装置。
【請求項１９】
前記１または２種類以上の地点関連情報は、ストリートビューを含む請求項１６から請求項１８いずれか一項に記載の番組受信装置。
【請求項２０】
前記地点関連情報取得部は、
前記地点情報取得部が取得した２以上の地点情報を用いて、少なくとも一つの地点情報の位置を示す位置情報、および前記２以上の地点情報間の方角に関する方角情報を取得し、当該位置情報および当該方角情報を用いて、ストリートビューを取得する請求項１９記載の番組受信装置。
【請求項２１】
前記地点関連情報取得部は、
前記位置情報を用いて、当該位置情報のカメラ映像を取得し、前記方角情報を用いて、取得したカメラ映像から当該方角情報が示す方角に対応するストリートビューを取得する請求項２０記載の番組受信装置。
【請求項２２】
前記１または２種類以上の地点関連情報は、ストリートビューを含み、
前記地点関連情報出力部は、
前記空間的関係情報を用いて、前記２以上の地点情報が示す２以上の地点を移動する態様で、ストリートビューを出力する請求項１８から請求項２１いずれか一項に記載の番組受信装置。
【請求項２３】
前記１または２種類以上の地点関連情報は、地図情報を含む請求項１６から請求項２２いずれか一項に記載の番組受信装置。
【請求項２４】
前記地点関連情報取得部は、
前記地点情報取得部が取得した２以上の各地点情報の空間的な関係を示す空間的関係情報を取得し、当該空間的関係情報に対応する地図情報を取得し、
前記地点関連情報出力部は、
前記空間的関係情報に応じて、異なる態様で地図情報を出力する請求項２３記載の番組受信装置。
【請求項２５】
前記地点関連情報出力部は、
前記地点情報取得部が取得した２つの地点情報であり、第一の地点情報と当該第一の地点情報の後に受信された第二の地点情報との空間的関係情報に応じて、前記第一の地点情報に対応する地図情報を出力した後、前記第二の地点情報に対応する地図情報にズームインまたはズームアウトする態様で前記第二の地点情報を出力する請求項２４記載の番組受信装置。
【請求項２６】
前記地点関連情報出力部は、
前記地点情報取得部が取得した２つの地点情報であり、第一の地点情報と当該第一の地点情報の後に受信された第二の地点情報との空間的関係情報に応じて、前記第一の地点情報が示す地点と前記第二の地点情報が示す地点とを含む地図情報を出力する請求項２５記載の番組受信装置。
【請求項２７】
番組関連情報受信部、キー情報取得部、番組補助情報取得部、および番組補助情報出力部により実現され得る情報処理方法であって、
前記番組関連情報受信部が、出力中の番組に関連する情報であり、１または２以上のキー情報を含む番組関連情報を受信する番組関連情報受信ステップと、
前記キー情報取得部が、前記番組関連情報受信ステップで受信された番組関連情報から、予め決められたカテゴリーに属する用語である１または２以上のキー情報を取得するキー情報取得ステップと、
前記番組補助情報取得部が、前記キー情報取得ステップで取得されたキー情報に対応する情報であり、前記番組の内容を補足する情報である番組補助情報を取得する番組補助情報取得ステップと、
前記番組補助情報出力部が、前記番組補助情報取得ステップで取得された番組補助情報を出力する番組補助情報出力ステップとを具備する情報処理方法。
【請求項２８】
コンピュータを、
出力中の番組に関連する情報であり、１または２以上のキー情報を含む番組関連情報を受信する番組関連情報受信部と、
前記番組関連情報受信部が受信した番組関連情報から、予め決められたカテゴリーに属する用語である１または２以上のキー情報を取得するキー情報取得部と、
前記キー情報取得部が取得したキー情報に対応する情報であり、前記番組の内容を補足する情報である番組補助情報を取得する番組補助情報取得部と、
前記番組補助情報取得部が取得した番組補助情報を出力する番組補助情報出力部として機能させるためのプログラム。
【発明の詳細な説明】
【技術分野】
【０００１】
本発明は、番組に関連する情報を処理する情報処理装置等に関するものである。
【背景技術】
【０００２】
従来、地図表示可能なテレビ放送システムがあった（特許文献１参照）。かかるデジタル放送テレビは、番組中に位置情報を埋め込んでおき、テレビのリモコン操作によってその位置情報が地図サーバに送信され、地図サーバは該当部分の地図を選択しテレビに返送するようにする技術を有する。また、かかるデジタル放送テレビは、地図専門チャンネルを設置して、テレビのリモコン装置を使って地図を検索し、拡大や縮小も容易にできる地図サイトを構築する技術を有する。
【先行技術文献】
【特許文献】
【０００３】
【特許文献１】特開２００８−２９５００１号公報
【発明の概要】
【発明が解決しようとする課題】
【０００４】
しかしながら、従来技術においては、出力中の番組を補助する番組補助情報を適切に出力できなかった。
【０００５】
また、従来技術においては、番組に出現する地点の地図を出力するためには、番組中に位置情報を埋め込んでおく必要があり、放送方式の変更が必要であった。従って、従来の技術においては、番組と共に、地図等の地点関連情報を、容易に出力できなかった。
【０００６】
また、従来の技術においては、ストリートビューを番組と共に出力できなかった。
【０００７】
また、従来の技術においては、２以上の地点情報を用いて、地図やストリートビュー等の動きを出力できなかった。
【０００８】
さらに、従来の技術においては、番組を出力する装置とは別の装置に、番組補助情報を出力できなかった。
【課題を解決するための手段】
【０００９】
本第一の発明の情報処理装置は、出力中の番組に関連する情報であり、１または２以上のキー情報を含む番組関連情報を受信する番組関連情報受信部と、番組関連情報受信部が受信した番組関連情報から、予め決められたカテゴリーに属する用語である１または２以上のキー情報を取得するキー情報取得部と、キー情報取得部が取得したキー情報に対応する情報であり、番組の内容を補足する情報である番組補助情報を取得する番組補助情報取得部と、番組補助情報取得部が取得した番組補助情報を出力する番組補助情報出力部とを具備する情報処理装置である。
【００１０】
かかる構成により、出力中の番組を補助する番組補助情報を適切に出力できる。
【００１１】
また、本第二の発明の情報処理装置は、第一の発明に対して、番組補助情報取得部は、２種類以上の番組補助情報を取得でき、番組補助情報出力部は、２種類以上の番組補助情報のうち、１または２種類以上の番組補助情報を出力する情報処理装置である。
【００１２】
かかる構成により、出力中の番組を補助する２種類以上の番組補助情報を適切に出力できる。
【００１３】
また、本第三の発明の情報処理装置は、第二の発明に対して、番組補助情報取得部は、２以上のキー情報の関係に応じて、異なる種類の番組補助情報を取得する情報処理装置である。
【００１４】
かかる構成により、出力中の番組を補助する２種類以上の番組補助情報を適切に出力できる。
【００１５】
また、本第四の発明の情報処理装置は、第二の発明に対して、２種類以上の番組補助情報に出力の優先順位があり、番組補助情報出力部は、一の種類の番組補助情報を出力できない場合に、他の種類の番組補助情報を出力する情報処理装置である。
【００１６】
かかる構成により、出力中の番組を補助する２種類以上の番組補助情報を適切に出力できる。
【００１７】
また、本第五の発明の情報処理装置は、第一から第四いずれかの発明に対して、キー情報は、地点のカテゴリーに属する用語である地点情報であり、番組補助情報は、地点に関する情報である地点関連情報を含む情報処理装置である。
【００１８】
かかる構成により、出力中の番組を補助する地点関連情報を適切に出力できる。
【００１９】
また、本第六の発明の情報処理装置は、第五の発明に対して、番組補助情報取得部は、キー情報取得部が取得した２以上の各地点情報の空間的な関係を示す空間的関係情報を取得し、空間的関係情報を用いて、２以上の番組補助情報を連続して取得する情報処理装置である。
【００２０】
かかる構成により、出力中の番組を補助する地点関連情報を適切に出力できる。
【００２１】
また、本第七の発明の情報処理装置は、第六の発明に対して、番組におけるシーンの切り替わりを判断するシーン判断部をさらに具備し、番組補助情報出力部は、シーン判断部が判断したシーンの切り替わりの際には、番組補助情報の連続した出力を行わない情報処理装置である。
【００２２】
かかる構成により、出力中の番組を補助する地点関連情報を適切に出力できる。
【００２３】
また、本第八の発明の情報処理装置は、第四から第七いずれかの発明に対して、地点関連情報は、地点の写真、地点のストリートビュー、および地点の地図情報のうちの１種類以上の情報を含む情報処理装置である。
【００２４】
かかる構成により、出力中の番組を補助する地点関連情報を適切に出力できる。
【００２５】
また、本第九の発明の情報処理装置は、第八の発明に対して、地点関連情報は、地点のストリートビューを含み、２種類以上の番組補助情報に出力の優先順位があり、番組補助情報出力部は、キー情報取得部が取得したキー情報に対応するストリートビューが出力できない場合に、キー情報取得部が取得したキー情報に対応する他の種類の番組補助情報を出力する情報処理装置である。
【００２６】
かかる構成により、出力中の番組を補助する地点関連情報を適切に出力できる。
【００２７】
また、本第十の発明の情報処理装置は、第一から第九いずれかの発明に対して、番組の種類を取得する番組種類取得部をさらに具備し、番組補助情報出力部は、種類に応じて、出力する番組補助情報の種類を変える、または番組補助情報の出力態様を変える情報処理装置である。
【００２８】
かかる構成により、出力中の番組を補助する番組補助情報を適切に出力できる。
【００２９】
また、本第十一の発明の情報処理装置は、第四から第十いずれかの発明に対して、キー情報取得部は、番組関連情報受信部が受信した番組関連情報から、２以上のキー情報を取得し、２以上のキー情報を用いて、番組内で使用している移動手段の種類を示す移動手段情報を取得する移動手段情報取得部をさらに具備し、番組補助情報出力部は、移動手段情報に応じて、番組補助情報の出力態様を変える情報処理装置である。
【００３０】
かかる構成により、出力中の番組を補助する地点関連情報を適切に出力できる。
【００３１】
また、本第十二の発明の情報処理装置は、第一から第三いずれかの発明に対して、キー情報は、人名のカテゴリーに属する用語である人名情報であり、番組補助情報は、人に関する情報である人関連情報を含む情報処理装置である。
【００３２】
かかる構成により、出力中の番組を補助する人関連情報を適切に出力できる。
【００３３】
また、本第十三の発明の情報処理装置は、第一から第十二いずれかの発明に対して、番組を受信する番組受信部と、番組受信部が受信した番組を出力する番組出力部とをさらに具備し、番組補助情報出力部は、番組補助情報を番組と共に出力する情報処理装置である。
【００３４】
かかる構成により、出力中の番組を補助する番組補助情報を適切に出力できる。
【００３５】
また、本第十四の発明の情報処理装置は、第一から第十二いずれかの発明に対して、番組を出力している番組出力装置とは別の装置であり、番組のチャネル番号を取得するチャネル番号取得部をさらに具備し、キー情報取得部は、チャネル番号に対応する番組関連情報から、予め決められたカテゴリーに属する用語である１または２以上のキー情報を取得する情報処理装置である。
【００３６】
かかる構成により、番組出力装置で出力中の番組を補助する番組補助情報を、番組出力装置とは異なる装置に適切に出力できる。
【００３７】
また、本第十五の発明の情報処理装置は、第十四の発明に対して、番組出力装置を制御するための指示を受け付ける指示受付部と、指示受付部が受け付けた指示に応じて、番組出力装置に制御信号を送信する制御信号送信部とをさらに具備し、指示は、チャネルの変更指示を含み、チャネル番号取得部は、指示受付部が受け付けたチャネルの変更指示に対応するチャネル番号を取得する情報処理装置である。
【００３８】
かかる構成により、番組出力装置のリモコンに、番組出力装置で出力中の番組を補助する番組補助情報を適切に出力できる。
【００３９】
また、本第十六の発明の番組受信装置は、番組を受信する番組受信部と、番組に関連する情報であり、１または２以上の地点情報を含む番組関連情報を受信する番組関連情報受信部と、番組受信部が受信した番組を出力する番組出力部と、番組関連情報受信部が受信した番組関連情報から１または２以上の地点情報を取得する地点情報取得部と、地点情報取得部が取得した地点情報に対応する情報であり、地点情報に関する情報である１または２種類以上の地点関連情報を取得する地点関連情報取得部と、地点関連情報取得部が取得した１または２種類以上の地点関連情報を、番組と共に出力する地点関連情報出力部とを具備する番組受信装置である。
【００４０】
かかる構成により、番組に出現する地点に関する地点関連情報を番組と共に容易に出力し、番組に出現する地点の理解を深くできる番組受信装置を提供できる。
【００４１】
また、本第十七の発明の番組受信装置は、第十六の発明に対して、地点関連情報取得部は、地点情報取得部が取得した２以上の地点情報を用いて、２以上の地点関連情報を連続して取得し、地点関連情報出力部は、地点関連情報取得部が連続して取得した２以上の地点関連情報を出力することにより、地点関連情報の動きを出力する番組受信装置である。
【００４２】
かかる構成により、番組に出現する２以上の地点に関する２以上の地点関連情報を番組と共に容易に出力し、番組の中での地点の移動等をより深く理解できる番組受信装置を提供できる。
【００４３】
また、本第十八の発明の番組受信装置は、第十七の発明に対して、地点関連情報取得部は、地点情報取得部が取得した２以上の各地点情報の空間的な関係を示す空間的関係情報を取得し、空間的関係情報を用いて、２以上の地点関連情報を連続して取得し、かつ、取得した空間的関係情報に応じて、２以上の地点関連情報の取得方法が異なる番組受信装置である。
【００４４】
かかる構成により、番組に出現する２以上の地点に関する２以上の地点関連情報を番組と共に容易に出力し、番組の中での地点の移動等をより深く理解できる番組受信装置を提供できる。
【００４５】
また、本第十九の発明の番組受信装置は、第十六から第十八いずれかの発明に対して、１または２種類以上の地点関連情報は、ストリートビューを含む番組受信装置である。
【００４６】
かかる構成により、番組に出現する地点に関するストリートビューを番組と共に出力し、番組では表現しにくい距離感や周囲の雰囲気をより伝えることができる番組受信装置を提供できる。
【００４７】
また、本第二十の発明の番組受信装置は、第十九の発明に対して、地点関連情報取得部は、地点情報取得部が取得した２以上の地点情報を用いて、少なくとも一つの地点情報の位置を示す位置情報、および２以上の地点情報間の方角に関する方角情報を取得し、位置情報および方角情報を用いて、ストリートビューを取得する番組受信装置である。
【００４８】
かかる構成により、番組に出現する地点に関するストリートビューを番組と共に出力し、番組では表現しにくい距離感や周囲の雰囲気をより伝えることができる番組受信装置を提供できる。
【００４９】
また、本第二十一の発明の番組受信装置は、第二十の発明に対して、地点関連情報取得部は、位置情報を用いて、位置情報のカメラ映像を取得し、方角情報を用いて、取得したカメラ映像から方角情報が示す方角に対応するストリートビューを取得する番組受信装置である。
【００５０】
かかる構成により、番組に出現する地点に関するストリートビューを番組と共に出力し、番組では表現しにくい距離感や周囲の雰囲気をより伝えることができる番組受信装置を提供できる。
【００５１】
また、本第二十二の発明の番組受信装置は、第十八から第二十一いずれかの発明に対して、１または２種類以上の地点関連情報は、ストリートビューを含み、地点関連情報出力部は、空間的関係情報を用いて、２以上の地点情報が示す２以上の地点を移動する態様で、ストリートビューを出力する番組受信装置である。
【００５２】
かかる構成により、番組に出現する地点に関するストリートビューを番組と共に出力し、番組では表現しにくい距離感や周囲の雰囲気をより伝えることができる番組受信装置を提供できる。
【００５３】
また、本第二十三の発明の番組受信装置は、第十六から第二十二いずれかの発明に対して、１または２種類以上の地点関連情報は、地図情報を含む番組受信装置である。
【００５４】
かかる構成により、番組に出現する地点の地図を番組と共に容易に出力し、番組の理解を促進できる番組受信装置を提供できる。
【００５５】
また、本第二十四の発明の番組受信装置は、第二十三の発明に対して、地点関連情報取得部は、地点情報取得部が取得した２以上の各地点情報の空間的な関係を示す空間的関係情報を取得し、空間的関係情報に対応する地図情報を取得し、地点関連情報出力部は、空間的関係情報に応じて、異なる態様で地図情報を出力する番組受信装置である。
【００５６】
かかる構成により、番組に出現する地点の地図を番組と共に容易に出力し、番組の理解を促進できる番組受信装置を提供できる。
【００５７】
また、本第二十五の発明の番組受信装置は、第二十四の発明に対して、地点関連情報出力部は、地点情報取得部が取得した２つの地点情報であり、第一の地点情報と第一の地点情報の後に受信された第二の地点情報との空間的関係情報に応じて、第一の地点情報に対応する地図情報を出力した後、第二の地点情報に対応する地図情報にズームインまたはズームアウトする態様で第二の地点情報を出力する番組受信装置である。
【００５８】
かかる構成により、番組に出現する地点の地図を番組と共に容易に出力し、番組の理解を促進できる番組受信装置を提供できる。
【００５９】
また、本第二十六の発明の番組受信装置は、第二十五の発明に対して、地点関連情報出力部は、地点情報取得部が取得した２つの地点情報であり、第一の地点情報と第一の地点情報の後に受信された第二の地点情報との空間的関係情報に応じて、第一の地点情報が示す地点と第二の地点情報が示す地点とを含む地図情報を出力する番組受信装置である。
【００６０】
かかる構成により、番組に出現する地点の地図を番組と共に容易に出力し、番組の理解を促進できる番組受信装置を提供できる。
【発明の効果】
【００６１】
本発明による情報処理装置によれば、出力中の番組を補助する番組補助情報を適切に出力できる。
【図面の簡単な説明】
【００６２】
【図１】実施の形態１における番組受信装置１のブロック図
【図２】同番組受信装置１の動作について説明するフローチャート
【図３】同出力制御表を示す図
【図４】同出力例を示す図
【図５】同出力例を示す図
【図６】実施の形態２における情報処理装置２のブロック図
【図７】同情報処理装置２の動作について説明するフローチャート
【図８】同番組補助情報の取得処理について説明するフローチャート
【図９】同番組補助情報の出力処理について説明するフローチャート
【図１０】同移動手段決定管理表を示す図
【図１１】同出力制御表を示す図
【図１２】同具体例における動作の概要を示す図
【図１３】同画面遷移の例を示す図
【図１４】実施の形態３における情報処理装置３のブロック図
【図１５】同情報処理装置３の動作について説明するフローチャート
【図１６】実施の形態４における情報処理システム３の概念図
【図１７】同情報処理システム３のブロック図
【図１８】同情報処理装置３２の動作について説明するフローチャート
【図１９】上記実施の形態におけるコンピュータシステムの概観図
【図２０】同コンピュータシステムのブロック図
【発明を実施するための形態】
【００６３】
以下、情報処理装置等の実施形態について図面を参照して説明する。なお、実施の形態において同じ符号を付した構成要素は同様の動作を行うので、再度の説明を省略する場合がある。
【００６４】
（実施の形態１）
本実施の形態において、番組を受信し、番組に出現する地点の情報である地点情報を含む情報を受信し、当該地点情報を用いて、１種類以上の地点関連情報を取得し、番組と地点関連情報とを共に出力する番組受信装置について説明する。なお、ここでの地点関連情報は、例えば、ストリートビュー、地図情報、または地点情報のリスト等である。
【００６５】
また、本実施の形態において、２以上の地点情報を用いて、地点関連情報の動きを出力する番組受信装置について説明する。
【００６６】
さらに、本実施の形態において、２以上の地点情報が示す領域の空間的な関係を示す空間的関係情報、または２以上の地点情報の出現の時間に関する時間的関係情報と空間的関係情報とを用いて、１種類以上の地点関連情報を取得し、番組と地点関連情報とを共に出力する番組受信装置について説明する。
【００６７】
図１は、本実施の形態における番組受信装置１のブロック図である。
【００６８】
番組受信装置１は、地図情報格納部１０、地点関連情報格納部１１、受付部１２、番組受信部１３、番組関連情報受信部１４、番組出力部１５、地点情報取得部１６、地点関連情報取得部１７、地点関連情報出力部１８を備える。
【００６９】
地点関連情報取得部１７は、ストリートビュー取得手段１７１、地図情報取得手段１７２を備える。
【００７０】
地点関連情報出力部１８は、ストリートビュー出力手段１８１、地図情報出力手段１８２、地点情報出力手段１８３を備える。
【００７１】
なお、番組受信装置１は、いわゆるテレビジョン装置、番組受信機能を有するスマートフォン、番組受信機能を有するパソコン、番組受信機能を有するナビゲーション端末等であり、装置の種類は問わない。
【００７２】
番組受信装置１を構成する地図情報格納部１０は、地図情報を格納し得る。地図情報は、地図の情報である。地図情報は、通常、地点を示す１または２以上の地点情報を有する。地点情報は、地図上の領域や地点等の場所を特定する情報（例えば、地名や、都道府県名、市町村名、住所、建物名、ランドマーク名、駅名、道路名、店名、商店街名等）である。地点情報は、通常、地点を示す文字列であり、例えば、地名、名勝の名前等である。但し、地点情報は、コード番号等であっても良い。なお、地点情報は、地図上に表記されている地名等であることは好適である。
【００７３】
また、地図情報は、通常、地図の画像である地図図柄情報を有している。地図図柄情報は、例えば、地図を構成するビットマップデータ（ラスタデータ）またはベクタデータ、またはこれらの組合せなどである。地図図柄情報のファイル形式は、ＧＩＦ形式やＪＰＥＧ形式や、ＰＮＧ形式等問わない。地図情報は、ＩＳＯのｋｉｗｉ地図データフォーマットであっても良い。なお、地図情報のデータ構造は問わない。
【００７４】
また、地図情報は、地点情報と、この地点情報が示す領域を示す座標群や、地点情報が示す地点を示す座標とを対応付けて有していても良い。また、地図情報は、例えば、地図の縮尺と対応付けて管理されていてもよい。具体的には、地図情報は、当該地図情報により出力される地図の縮尺の値の情報を有している。また、地図情報は、縮尺ごとに用意されていても良い。また、地図情報や、一の領域についての縮尺が異なる複数の地図図柄情報を有していてもよい。ここでの地図の縮尺とは、地図の縮尺の値を示す情報と考えても良い。また、地図情報は、道路情報を有していてもよい。道路情報は、地図が示す道路に関する情報である。また、地図情報は、いわゆるリンクデータやノードデータ等を有していても良い。また、地図情報は、その他の情報を有していても良い。
【００７５】
地点関連情報格納部１１は、１以上の地点関連情報を格納し得る。地点関連情報格納部１１は、地点関連情報を特定するための１以上の地点関連情報識別子を格納していても良い。地点関連情報格納部１１は、通常、地点情報と対応付けて、地点関連情報または地点関連情報識別子を格納し得る。なお、地点関連情報識別子は、地点関連情報へのリンクの情報、地点情報等である。地点関連情報の詳細については、後述する。なお、地点関連情報格納部１１に格納される地点関連情報は、通常、地点関連情報取得部１７が取得した地点関連情報である。地点関連情報は、番組の視聴を支援する情報である、と言える。また、地点関連情報は、番組を補足する情報である、とも言える。
【００７６】
受付部１２は、ユーザからの指示や情報を受け付ける。ここで、指示とは、例えば、出力されている地点情報に対する指示である。なお、例えば、この指示に対応する地点関連情報が出力される。指示や情報の入力手段は、リモコン、キーボード、マウス、タッチパネル、メニュー画面によるもの等、何でも良い。受付部１２は、リモコンやキーボード等の入力手段のデバイスドライバーや、メニュー画面の制御ソフトウェア等で実現され得る。
【００７７】
番組受信部１３は、番組を受信する。番組は、通常、テレビ番組である。番組受信部１３は、通常、図示しない放送装置から放送された番組を受信する。ただし、番組受信部１３は、インターネットを経由して送信された番組を受信しても良い。なお、番組は、通常、動画と音声とを有するが、動画のみでも良い。
【００７８】
番組関連情報受信部１４は、番組に関連する情報であり、１または２以上の地点情報を含む番組関連情報を受信する。番組関連情報とは、通常、文字多重放送の文字情報である。但し、番組関連情報は、例えば、電子番組表、インターネット上の番組紹介のウェブページ等でも良い。ここで、受信とは、通常、番組と同期した、番組関連情報の受信である。
【００７９】
番組出力部１５は、番組受信部１３が受信した番組を出力する。ここで、出力とは、通常、ディスプレイへの表示と音出力、プロジェクターを用いた投影と音出力であるが、記録媒体への蓄積、他の処理装置や他のプログラムなどへの処理結果の引渡しなどを含む概念である。
【００８０】
地点情報取得部１６は、番組関連情報受信部１４が受信した番組関連情報から１または２以上の地点情報を取得する。地点情報取得部１６は、例えば、地図情報格納部１０の地図情報が有する地点情報を用いて、番組関連情報から１または２以上の地点情報を取得する。つまり、地点情報取得部１６は、例えば、番組関連情報の中に含まれる名詞または名詞句であり、地図情報が有する地点情報に一致する名詞等を取得する。また、地点情報取得部１６は、例えば、地点情報の集合である地点辞書を保持しており、当該地点辞書を用いて、地点情報を取得しても良い。つまり、地点情報取得部１６は、例えば、番組関連情報の中に含まれる名詞または名詞句であり、地点辞書に格納されている地点情報に一致する名詞等を取得する。さらに、例えば、地点情報取得部１６は、例えば、番組関連情報を形態素解析し、地点を示す名詞または名詞句を取得しても良い。なお、形態素解析の技術は公知技術であるので、詳細な説明を省略する。
【００８１】
地点関連情報取得部１７は、地点情報取得部１６が取得した１または２以上の地点情報を用いて、１または２種類以上の地点関連情報を取得する。地点関連情報とは、地点情報取得部１６が取得した地点情報に対応する情報であり、地点情報に関する情報である。地点関連情報は、例えば、ストリートビュー、地図情報、地点情報の集合、地点に関連する写真などである。
【００８２】
地点関連情報取得部１７は、地点情報取得部１６が取得した２以上の地点情報を用いて、地点関連情報を取得することは好適である。この２以上の地点情報は、通常、連続して受信された２以上の地点情報である。また、この２以上の地点情報は、受信時刻の差が閾値以内の地点情報である。
【００８３】
地点関連情報取得部１７は、地点情報取得部１６が取得した２以上の地点情報のうち、予め決められた一部の地点情報のみを用いて、地点関連情報を取得することは好適である。例えば、地点関連情報取得部１７は、領域の範囲が一定以内の地点の地点情報のみを用いて、地点関連情報を取得することは好適である。領域の範囲が一定以内の地点は、例えば、金閣寺、龍安寺、神戸駅等は含むが、日本、京都、神戸等は含まない。また、地点関連情報取得部１７は、領域の範囲が一定以内の地点の地点情報であるかを判断するための情報（例えば、「都道府県は除く」「都道府県、市町村名は除く」など）を保持していても良いし、地図情報が有する地点情報に対応付けて、地点関連情報を取得するために使用するか否かを判断するためのフラグを有していても良い。なお、地点関連情報取得部１７は、このフラグを、ストリートビュー、地図情報等の地点関連情報の種類ごとに、かつ地点情報ごとに有していても良い。
【００８４】
また、地点関連情報取得部１７は、地点情報取得部１６が取得した２以上の地点情報を用いて、２以上の地点関連情報を連続して取得することは好適である。
【００８５】
また、地点関連情報取得部１７は、空間的関係情報を取得し、当該空間的関係情報を用いて、２以上の地点関連情報を連続して取得することは好適である。なお、空間的関係情報とは、地点情報取得部１６が取得した２以上の各地点情報の空間的な関係を示す情報である。空間的関係情報は、例えば、地点情報取得部１６が取得した２つの地点情報が示す地点の領域の包含関係を示す情報、地点情報取得部１６が取得した２つの地点情報が示す地点間の距離に関する情報等である。空間的関係情報は、例えば、地点情報取得部１６が取得した２つの地点情報が示す２つの領域が包含関係にあることを示す情報、２つの地点情報が示す２つの領域が包含関係には無ことを示す情報、２つの地点情報が示す２つの領域が包含関係には無くかつ２つの地点情報が示す地点の距離が閾値より近いことを示す情報、または２つの地点情報が示す２つの領域が包含関係には無くかつ２つの地点情報が示す地点の距離が閾値より遠いことを示す情報等である。なお、地図情報を用いて、２つの地点情報（例えば、京都と金閣寺）の包含関係を示す情報を取得する技術は公知技術である。地点関連情報取得部１７は、例えば、２つの各地点情報の領域を示す位置情報（経度と緯度、または地図情報内の相対的な座標情報）を取得し、２つの地点が包含関係にあるか、包含関係に無いかを判断する。また、地図情報を用いて、２つの地点情報（例えば、京都と金閣寺）の距離を算出する技術は公知技術である。
【００８６】
また、地点関連情報取得部１７は、地点情報取得部１６が取得した２以上の地点情報を用いて、少なくとも一つの地点情報の位置を示す位置情報、および２以上の地点情報間の方角に関する方角情報を取得し、当該位置情報および当該方角情報を用いて、ストリートビューを取得する。なお、地点情報取得部１６が取得した２以上の地点情報は、番組において出現する順序通りに、受信される、とする。そして、例えば、２つの地点情報のうち、まず地点Ａが受信され、次に地点Ｂが受信された場合、地点関連情報取得部１７は、地点Ａの位置情報（例えば、（緯度，経度））と地点Ｂの位置情報を取得する。そして、地点関連情報取得部１７は、地点Ａの位置情報と地点Ｂの位置情報とを用いて、地点Ａから地点Ｂへの方角を示す方角情報を取得する。なお、地点関連情報取得部１７は、地点情報から位置情報を取得する際に、通常、地図情報格納部１０の地図情報を用いるが、図示しない外部の地図サーバから位置情報を取得しても良い。そして、地点関連情報取得部１７は、地点Ａのストリートビューであり、方角情報が示す方角のストリートビューを取得する。なお、方角情報は、絶対的な方角を示す情報（例えば、北西、南南東等）でも良いし、相対的な方向等を示す情報でも良い。
【００８７】
さらに具体的には、例えば、地点関連情報取得部１７は、地点情報取得部１６が取得した２以上の地点情報のうちの、少なくとも一つの地点情報の位置情報を用いて、当該位置情報のカメラ映像を取得する。そして、地点関連情報取得部１７は、方角情報を用いて、取得したカメラ映像から方角情報が示す方角に対応するストリートビューを取得する。なお、地点関連情報取得部１７は、例えば、カメラ映像から方角情報が示す方角に対応する画像を切り出して、ストリートビューを取得する。なお、位置情報（例えば、（緯度，経度））を用いて、ストリートビューを取得する技術は公知技術である。また、位置情報と方角情報とを用いて、ストリートビューを取得する技術は公知技術である。
【００８８】
地点関連情報取得部１７は、地点情報取得部１６が取得した２以上の各地点情報の空間的な関係を示す空間的関係情報を取得し、当該空間的関係情報に対応する地図情報を取得することは好適である。
【００８９】
ストリートビュー取得手段１７１は、地点情報取得部１６が取得した１または２以上の地点情報を用いて、１または２以上のストリートビューを取得する。ストリートビュー取得手段１７１は、地点情報取得部１６が取得した２以上の地点情報を用いて、２以上のストリートビューを連続して取得することは好適である。かかる処理により、２以上の地点間をストリートビューで移動する動作を出力できる。
【００９０】
ストリートビュー取得手段１７１は、空間的関係情報を取得し、当該空間的関係情報を用いて、２以上のストリートビューを連続して取得することは好適である。例えば、２つの地点情報の空間的関係情報が「２つの地点が包含関係に無く、かる２つの地点の距離が閾値以下であることを示す情報」である場合、ストリートビュー取得手段１７１は、２つの地点のストリートビューを順次、取得する。なお、順次取得されたストリートビューを用いて、２つの地点間を移動するように、ストリートビューが出力されることは好適である。
【００９１】
地図情報取得手段１７２は、地点情報取得部１６が取得した１または２以上の地点情報を用いて、１または２以上の地図情報を取得する。地図情報取得手段１７２は、通常、地図情報格納部１０から地図情報を取得するが、図示しない外部の地図サーバから地図情報を取得しても良い。地図情報取得手段１７２は、地点情報取得部１６が取得した２以上の地点情報を用いて、２以上の地図情報を連続して取得することは好適である。かかる処理により、２以上の地点間の位置関係が明瞭に把握でき得る。
【００９２】
地図情報取得手段１７２は、空間的関係情報を取得し、当該空間的関係情報を用いて、２以上の地図情報を連続して取得することは好適である。例えば、２つの地点情報（地点Ａと地点Ｂ（地点Ａの出現後、地点Ｂが出現している場合））の空間的関係情報が「地点Ａが地点Ｂを包含する関係（Ｂ⊂Ａ）にあることを示す情報」である場合、地図情報取得手段１７２は、まず地点Ａに対応する地図情報を取得し、次に、ズームインする態様で、地点Ｂに対応する地図情報を取得する。そして、地点Ａに対応する地図情報が出力された後、地点Ｂに対応する地図情報が、ズームインする態様で出力される。
【００９３】
また、例えば、２つの地点情報（地点Ａと地点Ｂ（地点Ａの出現後、地点Ｂが出現している場合））の空間的関係情報が「地点Ａが地点Ｂに包含される関係（Ａ⊂Ｂ）にあることを示す情報」である場合、地図情報取得手段１７２は、まず地点Ａに対応する地図情報を取得し、次に、ズームアウトする態様で、地点Ｂに対応する地図情報を取得する。そして、地点Ａに対応する地図情報が出力された後、地点Ｂに対応する地図情報が、ズームアウトする態様で出力される。
【００９４】
地点関連情報取得部１７は、地点情報取得部１６が取得した１または２以上の地点情報をそのまま取得しても良い。地点情報の取得処理は、何も行われなくても良い。地点関連情報取得部１７は、地点情報取得部１６が取得した２以上の地点情報の出現順序を明示する態様で、２以上の地点情報を含む地点関連情報を取得しても良い。なお、２以上の地点情報の出現順序を明示する態様とは、例えば、２以上の地点情報を、番組での出現順に矢印で繋ぐ態様である。２以上の地点情報の出現順序を明示する態様とは、例えば、「Ａ→Ｂ→Ｃ」である。かかる場合、例えば、旅の番組中に、番組の出演者が地点Ａから地点Ｂ、地点ＢからＣ地点に移動したことが明示される。
【００９５】
地点関連情報出力部１８は、地点関連情報取得部１７が取得した１または２種類以上の地点関連情報を、番組と共に出力する。地点関連情報出力部１８は、地点情報取得部１６が取得した１または２以上の地点情報を出力しても良い。地点関連情報出力部１８は、２種類以上の地点関連情報を番組と共に出力することは好適である。地点関連情報出力部１８は、ストリートビューと地図情報とを番組と共に出力することは好適である。なお、地点関連情報出力部１８は、ストリートビューや地図情報等の地点関連情報を、番組と共に出力しないで、ユーザの切り替え指示等の受け付けにより、番組の出力を、地点関連情報の出力に切り替えても良い。
【００９６】
なお、番組、ストリートビュー、地図情報、１以上の地点情報（地点情報のリスト）は、それぞれ異なるウィンドウに出力されることは好適である。なお、番組、ストリートビュー、地図情報等の出力対応を問わない。つまり、ＰｉｎＰの態様で、番組と地点関連情報とが出力されても良いし、画面を複数のウィンドウに区切り、複数の各ウィンドウに、番組と地点関連情報とが出力されても良い（タイル形式のウィンドウの態様）。例えば、番組の中の小ウィンドウに、ストリートビューや地図情報等が出力されても良い（ＰｉｎＰの態様）。
【００９７】
地点関連情報出力部１８は、地点関連情報取得部１７が連続して取得した２以上の地点関連情報を出力することにより、地点関連情報の動きを出力することは好適である。地点関連情報の動きとは、例えば、ストリートビューによる２以上の地点間の移動を示す出力、地図のズームイン、ズームアウトなどである。
【００９８】
地点関連情報出力部１８は、空間的関係情報を用いて、２以上の地点情報が示す２以上の地点を移動する態様で、ストリートビューを出力することは好適である。なお、ストリートビューによる２以上の地点間の移動を示す出力は、２以上の地点間の経路を分かりやすく提示することとなる。
【００９９】
地点関連情報出力部１８は、空間的関係情報に応じて、異なる態様で地図情報を出力することは好適である。なお、異なる態様とは、例えば、ズームイン、ズームアウト、移動等である。
【０１００】
地点関連情報出力部１８は、地点情報取得部１６が取得した２つの地点情報であり、第一の地点情報と第一の地点情報の後に受信された第二の地点情報との空間的関係情報に応じて、第一の地点情報に対応する地図情報を出力した後、第二の地点情報に対応する地図情報にズームインまたはズームアウトする態様で第二の地点情報を出力することは好適である。例えば、２つの地点情報（地点Ａと地点Ｂ（地点Ａの出現後、地点Ｂが出現している場合））の空間的関係情報が「地点Ａが地点Ｂに包含されている関係にあることを示す情報」である場合、地点関連情報出力部１８は、地点Ａを示す地図情報を出力した後、ズームアウトしながら、地点Ｂを示す地図情報を出力する。なお、地点関連情報出力部１８は、地点Ａの地図情報を出力した後、地点Ｂの地図情報をズームアウトして出力することにより、番組で放送されている地点Ａが、地点Ｂの地域に含まれる地点であることを、分かりやすく提示できる。
【０１０１】
また、例えば、空間的関係情報が「地点Ａに地点Ｂが包含されている関係にあることを示す情報」である場合、地点関連情報出力部１８は、地点Ａを示す地図情報を出力した後、ズームインしながら、地点Ｂを示す地図情報を出力する。なお、地点関連情報出力部１８は、地点Ａの地図情報を出力した後、地点Ｂの地図情報をズームインして出力することにより、番組で放送されている地点Ｂが、地点Ａの地域に含まれる地点であることを、分かりやすく提示できる。
【０１０２】
地点関連情報出力部１８は、地点情報取得部１６が取得した２つの地点情報であり、第一の地点情報と第一の地点情報の後に受信された第二の地点情報との空間的関係情報に応じて、第一の地点情報が示す地点と第二の地点情報が示す地点とを含む地図情報を出力する。
【０１０３】
ストリートビュー出力手段１８１は、地点関連情報取得部１７が取得したストリートビューを、番組と共に出力する。ストリートビュー出力手段１８１は、地点関連情報取得部１７が連続して取得した２以上のストリートビューを出力することにより、ストリートビューで移動している経路を出力することは好適である。ストリートビュー出力手段１８１は、空間的関係情報を用いて、２以上の地点情報が示す２以上の地点を移動する態様で、ストリートビューを出力することは好適である。
【０１０４】
地図情報出力手段１８２は、地点関連情報取得部１７が取得した地図情報を、番組と共に出力する。地図情報出力手段１８２は、地点関連情報取得部１７が連続して取得した２以上の地図情報を出力することにより、地図情報を用いた２以上の地点間の関係（例えば、包含関係）を出力することは好適である。
【０１０５】
地点情報出力手段１８３は、地点情報取得部１６が取得した１または２以上の地点情報を出力する。地点情報出力手段１８３は、番組における出現順で、２以上の地点情報を出力することは好適である。地点情報出力手段１８３は、例えば、番組における出現順で、２以上の地点情報を矢印で繋ぎ、当該２以上の地点情報を出力することは好適である。
【０１０６】
地図情報格納部１０、地点関連情報格納部１１は、不揮発性の記録媒体が好適であるが、揮発性の記録媒体でも実現可能である。
【０１０７】
地図情報格納部１０等に地図情報等が記憶される過程は問わない。例えば、記録媒体を介して地図情報等が地図情報格納部１０等で記憶されるようになってもよく、通信回線等を介して送信された地図情報等が地図情報格納部１０等で記憶されるようになってもよく、あるいは、入力デバイスを介して入力された地図情報等が地図情報格納部１０等で記憶されるようになってもよい。
【０１０８】
番組受信部１３、番組関連情報受信部１４は、通常、放送を受信する手段で実現されるが、無線または有線の通信手段で実現されても良い。
【０１０９】
番組出力部１５、地点関連情報出力部１８は、ディスプレイやスピーカー等の出力デバイスを含むと考えても含まないと考えても良い。番組出力部１５は、出力デバイスのドライバーソフトまたは、出力デバイスのドライバーソフトと出力デバイス等で実現され得る。
【０１１０】
地点情報取得部１６、地点関連情報取得部１７は、通常、ＭＰＵやメモリ等から実現され得る。地点情報取得部１６の処理手順は、通常、ソフトウェアで実現され、当該ソフトウェアはＲＯＭ等の記録媒体に記録されている。但し、ハードウェア（専用回路）で実現しても良い。
【０１１１】
次に、番組受信装置１の動作について、図２のフローチャートを用いて説明する。
【０１１２】
（ステップＳ２０１）番組受信部１３は番組を受信したか否かを判断する。番組を受信すればステップＳ２０２に行き、番組を受信しなければステップＳ２０３に行く。
【０１１３】
（ステップＳ２０２）番組出力部１５は、ステップＳ２０１で受信された番組を出力する。番組出力部１５は、通常、番組を出力する領域に、番組を出力する。
【０１１４】
（ステップＳ２０３）番組関連情報受信部１４は、番組関連情報を受信したか否かを判断する。番組関連情報を受信すればステップＳ２０４に行き、番組関連情報を受信しなければステップＳ２１２に行く。
【０１１５】
（ステップＳ２０４）地点情報取得部１６は、ステップＳ２０３で受信された番組関連情報から、１以上の地点情報を取得する。
【０１１６】
（ステップＳ２０５）地点関連情報出力部１８は、ステップＳ２０４で取得された１以上の地点情報を、地点情報のリストの領域（ウィンドウ）に出力する。また、地点関連情報出力部１８は、１以上の地点情報を、地点関連情報格納部１１に一時蓄積する。なお、地点関連情報出力部１８は、２以上の地点情報の、番組における出現順序が分かる態様で、２以上の地点情報を地点情報のリストの領域に出力することは好適である。
【０１１７】
（ステップＳ２０６）地点関連情報取得部１７は、地点情報の履歴を地点関連情報格納部１１から取得する。取得する地点情報の履歴（１以上の地点情報）は、例えば、現在時刻から閾値以内の時間前に出力された地点情報、または直前に出力された地点情報等である。なお、ここで、地点関連情報取得部１７は、地点情報の履歴を取得できない場合もある。
【０１１８】
（ステップＳ２０７）地点関連情報取得部１７は、ステップＳ２０４で取得された１以上の地点情報、またはステップＳ２０４で取得された１以上の地点情報とステップＳ２０６で取得された地点情報の履歴とを用いて、２以上の地点情報の空間的関係情報を取得する。地点関連情報取得部１７は、通常、地図情報を用いて、２つの地点情報の空間的関係情報を取得する。
【０１１９】
（ステップＳ２０８）地点関連情報取得部１７は、ステップＳ２０４で取得された１以上の地点情報に対応するストリートビューを取得する。
【０１２０】
（ステップＳ２０９）地点関連情報出力部１８は、ステップＳ２０８で取得されたストリートビューを、ステップＳ２０７で取得された空間的関係情報に応じた出力態様で、ストリートビューの領域に出力する。ここで、地点関連情報出力部１８は、地点情報に対応付けてストリートビューを地点関連情報格納部１１に一時蓄積することは好適である。また、ここで、地点関連情報出力部１８は、ストリートビューを出力した地点情報のみ、またはストリートビューを出力した地点情報に対応する位置情報（例えば、（緯度，経度））を、地点関連情報格納部１１に一時蓄積することは好適である。
【０１２１】
（ステップＳ２１０）地点関連情報取得部１７は、ステップＳ２０４で取得された１以上の地点情報に対応する地図情報を取得する。なお、地点情報に対応する地図情報とは、通常、地点情報で示される地点の領域がすべて含まれる縮尺の地図情報であり、地点情報から取得される位置情報（例えば、（緯度，経度））を中心とする地図情報である。ただし、地点情報に対応する地図情報とは、地点情報で示される地点の領域がすべて含まれる縮尺の地図情報であり、地点情報から取得される位置情報（例えば、（緯度，経度））を中心としないが、含まれている地図情報でも良い。また、地点情報に対応する地図情報とは、地点情報で示される地点の領域のすべてが含まれていない地図情報でも良い。
【０１２２】
（ステップＳ２１１）地点関連情報出力部１８は、ステップＳ２１０で取得された地図情報を、ステップＳ２０７で取得された空間的関係情報に応じた出力態様で、地図情報の領域に出力する。ここで、地点関連情報出力部１８は、地点情報に対応付けて地図情報を地点関連情報格納部１１に一時蓄積することは好適である。なお、地点関連情報出力部１８は、地図情報を出力した地点の地点情報のみ、または地図情報を出力した地点情報に対応する位置情報（例えば、（緯度，経度））を、地点関連情報格納部１１に一時蓄積することは好適である。
【０１２３】
（ステップＳ２１２）受付部１２は、ユーザから指示を受け付けたか否かを判断する。指示を受け付けた場合はステップＳ２１３に行き、指示を受け付けない場合はステップＳ２０１に戻る。なお、ここでの指示は、出力されている地点情報への指示である、とする。
【０１２４】
（ステップＳ２１３）地点関連情報取得部１７は、指示された地点情報を取得する。
【０１２５】
（ステップＳ２１４）地点関連情報取得部１７は、取得した地点情報に対応するストリートビューを、地点関連情報格納部１１から取得する。そして、地点関連情報出力部１８は、取得されたストリートビューを、ストリートビューの領域に出力する。ここで、地点関連情報取得部１７は、取得した地点情報に対応するストリートビューを、ステップＳ２０８と同じ処理により取得しても良い。
【０１２６】
（ステップＳ２１５）地点関連情報取得部１７は、取得した地点情報に対応する地図情報を、地点関連情報格納部１１から取得する。そして、地点関連情報出力部１８は、取得された地図情報を、地図情報の領域に出力する。ステップＳ２０１に戻る。ここで、地点関連情報取得部１７は、取得した地点情報に対応する地図情報を、ステップＳ２１０と同じ処理により取得しても良い。
【０１２７】
なお、図２のフローチャートにおいて、ストリートビュー、地図情報、地点情報のリストを出力したが、ストリートビュー、地図情報、地点情報のうちの１以上の地点関連情報を出力しても良い。
【０１２８】
また、図２のフローチャートにおいて、受付部１２は、地点情報の指示以外の指示等を受け付けても良い。かかる場合、受付部１２が受け付けた指示等に対応する動作が行われる。
【０１２９】
さらに、図２のフローチャートにおいて、電源オフや処理終了の割り込みにより処理は終了する。
【０１３０】
以下、本実施の形態における番組受信装置１の具体的な動作について説明する。
【０１３１】
今、番組関連情報は文字多重放送の文字列である。また、番組はテレビの番組である。
【０１３２】
そして、今、地点関連情報出力部１８は、図３に示す出力制御表を保持している。出力制御表は、ストリートビューまたは／および地図情報の出力態様を決定するための表であり、ストリートビューまたは／および地図情報の出力を制御するための表である。
【０１３３】
出力制御表は、２つの地点情報（ここでは、ＡとＢ）の包含関係、および距離をパラメータとして、地点関連情報の出力を制御するための表である。なお、２つの地点情報は、番組関連情報に含まれる地点情報であり、同時または時間的に閾値以内に受信された番組関連情報に含まれる地点情報である。また、番組のシーンの切り替えの情報を番組関連情報が有する場合、２つの地点情報は、同一のシーンにおける番組関連情報に含まれる地点情報である。
【０１３４】
また、出力制御表において、行「包含関係」は、２つの地点情報（ＡとＢ）の各領域の包含関係を示す。また、行「距離」は、２つの地点情報（ＡとＢ）の距離が閾値以内か否かを示す。ここで、「閾値以内」を「閾値より小さい」、「閾値より大きい」を「閾値以上」としても良い。また、行「説明パターン」は、地点情報の説明のパターンを示す情報である。説明パターン「地点説明」は地点情報「Ｂ」の説明をすべきことを示し、説明パターン「地域説明」は地点情報「Ｂ」が示す地域の説明をすべきことを示し、説明パターン「経路説明」はＡからＢへの経路を説明すべきことを示し、説明パターン「比較説明」はＡとＢとを比較すべきことを示す。また、行「ストリートビュー制御」は、ストリートビューの制御に関する情報であり、「Ｂを出力」は地点情報「Ｂ」に対応するストリートビューを出力することを示す。また、「Ａ→Ｂ」は、地点情報「Ａ」に対応するストリートビューを出力し、地点情報「Ｂ」の地点に移動するように、地点情報「Ｂ」に対応するストリートビューを出力することを示す。また、「ＡとＢを出力」は、地点情報「Ａ」と地点情報「Ｂ」の、２つのストリートビューを出力することを示す。さらに、行「地図制御」は、地図情報の出力制御に関する情報であり、「地図情報」は出力する地図情報を示し、２以上の情報がある場合、２以上の地図情報を順次出力することを示す。また、「遷移方法」は２以上の地図情報の遷移方法を示す。さらに、「補助情報」は地図情報の上に出力すべき補助的な情報を示す。補助情報の「Ａ，Ｂ強調」は、地点Ａと地点Ｂとを強調することを示す。また、「経路強調」は地点Ａから地点Ｂへの経路を強調することを示す。地点Ａと地点Ｂの強調方法は、他の地点と比較して、異なる態様で、地点Ａと地点Ｂとが出力されれば良い。地点Ａと地点Ｂの強調方法は、例えば、地点Ａと地点Ｂにピンを立てる表示である。また、地点Ａと地点Ｂの強調方法は、例えば、地点Ａと地点Ｂの名称を他の名称と異なる色（例えば、赤）とすること等である。また、経路の強調とは、例えば、経路の線を、他の線と比較して太くする、色を変える等である。
【０１３５】
また、出力制御表の第一列目（列「１」）は、地点情報（Ａ）が示す領域と地点情報（Ｂ）のが示す領域との包含関係が「Ａ⊃Ｂ」である場合であり、説明パターンが「地点説明」であることを示す。そして、列「１」は、ストリートビューＢを出力することを示す。また、列「１」は、地図情報Ａを出力した後、地図情報Ｂをズームインして出力することを示す。また、列「１」は、地図情報の地点Ａ、地点Ｂを強調する態様で出力することを示す。なお、ストリートビューＢは、地点情報「Ｂ」の地点のストリートビューである。地図情報Ａは、地点情報「Ａ」を含む地図情報であり、地点情報「Ａ」の地点に対応する地図情報である。
【０１３６】
また、出力制御表の第二列目（列「２」）は、地点情報（Ａ）が示す領域と地点情報（Ｂ）のが示す領域との包含関係が「Ａ⊂Ｂ」である場合であり、説明パターンが「地域説明」であることを示す。そして、列「２」は、ストリートビューＡを出力することを示す。また、列「２」は、地図情報Ａを出力した後、地図情報Ｂをズームアウトして出力することを示す。また、列「２」は、地図情報の地点Ａ、地点Ｂを強調する態様で出力することを示す。
【０１３７】
また、出力制御表の第三列目（列「３」）は、地点情報（Ａ）が示す領域と地点情報（Ｂ）のが示す領域との包含関係がない場合であり、地点ＡとＢとの距離が閾値以内である場合であり、説明パターンが「経路説明」であることを示す。そして、列「３」は、ストリートビューＡを出力した後、地点Ｂに移動するようにストリートビューＢを出力することを示す。また、列「３」は、地図情報Ａを出力した後、移動するように地図情報Ｂを出力することを示す。また、列「３」は、地図情報を経路「Ａ→Ｂ」を強調する態様で出力することを示す。
【０１３８】
さらに、出力制御表の第四列目（列「４」）は、地点情報（Ａ）が示す領域と地点情報（Ｂ）のが示す領域との包含関係がない場合であり、地点ＡとＢとの距離が閾値より長い場合であり、説明パターンが「比較説明」であることを示す。そして、ストリートビューＡとストリートビューＢとを共に出力することを示す。また、列「４」は、ＡとＢとを含む地図情報を出力することを示す。また、列「４」は、地図情報の地点Ａ、地点Ｂを強調する態様で出力することを示す。
【０１３９】
かかる状況において、以下の４つの具体例について説明する。
【０１４０】
（具体例１）
具体例１は、複数の地点情報の空間的関係情報を用いて取得される説明パターンが「地点説明」である場合である。
【０１４１】
今、番組受信部１３は番組を受信する。そして、番組出力部１５は、受信された番組を出力する。
【０１４２】
また、番組関連情報受信部１４は、文字多重放送を受信する。次に、地点情報取得部１６は、受信された文字多重放送であり、閾値以内の時間の文字多重放送（同一シーンの番組の文字多重放送）から、２つの地点情報「京都，金閣寺」を取得した、とする。なお、地点情報取得部１６は、例えば、文字多重放送の文字列を形態素解析し、地名を地点情報として取得しても良いし、地図情報格納部１０の１以上の地点情報に合致する地点情報を、文字多重放送の文字列から抽出しても良い。地点情報取得部１６は、例えば、形態素解析の結果が「名詞，固有名詞，地域，一般」と判定される単語、または「名詞，接尾，地域」と判定される語句を含む直前の名詞句を地点情報として取得する。
【０１４３】
次に、地点関連情報出力部１８は、２つ地点情報「京都，金閣寺」を、地点情報のリストの領域に出力する。また、地点関連情報出力部１８は、地点情報「京都，金閣寺」を、地点関連情報格納部１１に一時蓄積する。
【０１４４】
次に、地点関連情報取得部１７は、２つ地点情報「京都，金閣寺」の空間的関係情報「京都⊃金閣寺」を取得する。そして、ストリートビュー取得手段１７１は、出力制御表を参照し、「金閣寺」に対応するストリートビューを取得する。次に、ストリートビュー出力手段１８１は、取得されたストリートビューを出力する。
【０１４５】
また、地図情報取得手段１７２は、「京都」に対応する地図情報を取得する。次に、「金閣寺」に対応する地図情報を取得する。そして、地図情報出力手段１８２は、「京都」に対応する地図情報を出力した後、ズームインする態様で、「金閣寺」に対応する地図情報を出力する。
【０１４６】
なお、かかる場合の出力例は、図４である。図４において、４１が番組、４２がストリートビュー、４３が地図情報、４４が地点情報のリストである。
【０１４７】
また、図４の４４の「金閣寺」の指示を、受付部１２が受け付けた場合、「金閣寺」に対応するストリートビューが出力される。また、受付部１２が受け付けた場合、「金閣寺」に対応する地図情報が出力される。
【０１４８】
なお、番組等の出力態様は、問わない。出力例は、図５のようなものでも良い。図５において、５１は番組、５２はストリートビュー、５３は地図情報である。なお、図５において、地点情報のリストは出力されていない。
【０１４９】
（具体例２）
具体例２は、複数の地点情報の空間的関係情報を用いて取得される説明パターンが「地域説明」である場合である。
【０１５０】
今、番組受信部１３は番組を受信する。そして、番組出力部１５は、受信された番組を出力する。
【０１５１】
また、番組関連情報受信部１４は、同一シーンの番組の文字多重放送を受信する。次に、地点情報取得部１６は、受信された文字多重放送から、２つの地点情報「金閣寺，京都」を取得した、とする。
【０１５２】
次に、地点関連情報出力部１８は、２つ地点情報「金閣寺，京都」を、地点情報のリストの領域に出力する。また、地点関連情報出力部１８は、地点情報「金閣寺，京都」を、地点関連情報格納部１１に一時蓄積する。
【０１５３】
次に、地点関連情報取得部１７は、２つ地点情報「京都，金閣寺」の空間的関係情報「金閣寺⊂京都」を取得する。そして、ストリートビュー取得手段１７１は、出力制御表を参照し、「金閣寺」に対応するストリートビューを取得する。次に、ストリートビュー出力手段１８１は、取得されたストリートビューを出力する。
【０１５４】
また、地図情報取得手段１７２は、「金閣寺」に対応する地図情報を取得する。次に、「京都」に対応する地図情報を取得する。そして、地図情報出力手段１８２は、「金閣寺」に対応する地図情報を出力した後、ズームアウトする態様で、「京都」に対応する地図情報を出力する。
【０１５５】
（具体例３）
具体例３は、複数の地点情報の空間的関係情報を用いて取得される説明パターンが「経路説明」である場合である。
【０１５６】
今、番組受信部１３は番組を受信する。そして、番組出力部１５は、受信された番組を出力する。
【０１５７】
また、番組関連情報受信部１４は、同一シーンの番組の文字多重放送を受信する。次に、地点情報取得部１６は、受信された文字多重放送から、２つの地点情報「金閣寺，龍安寺」を取得した、とする。
【０１５８】
次に、地点関連情報出力部１８は、２つ地点情報「金閣寺，龍安寺」を、地点情報のリストの領域に出力する。また、地点関連情報出力部１８は、地点情報「金閣寺，龍安寺」を、地点関連情報格納部１１に一時蓄積する。
【０１５９】
次に、地点関連情報取得部１７は、２つ地点情報「金閣寺，龍安寺」の空間的関係情報のうちの包含関係「無し」を取得する。そして、地点関連情報取得部１７は、２つ地点情報「金閣寺，龍安寺」の（緯度，経度）を地図情報格納部１０の地図情報を用いて取得する。次に、地点関連情報取得部１７は、２つ地点情報「金閣寺，龍安寺」の距離Ｘを取得する。次に、地点関連情報取得部１７は、距離Ｘは閾値以内である、と判断する。
【０１６０】
そして、ストリートビュー取得手段１７１は、出力制御表を参照し、「金閣寺」に対応するストリートビューを取得する。次に、ストリートビュー出力手段１８１は、取得されたストリートビューを出力する。また、ストリートビュー取得手段１７１は、出力制御表を参照し、「龍安寺」に対応するストリートビューを取得する。そして、ストリートビューで「金閣寺」から「龍安寺」に移動するように、ストリートビュー出力手段１８１は、「龍安寺」に対応するストリートビューを出力する。なお、２つの地点間を移動するようなストリートビューを出力する技術は公知技術である。
【０１６１】
また、地図情報取得手段１７２は、「金閣寺」に対応する地図情報を取得する。次に、「龍安寺」に対応する地図情報を取得する。そして、地図情報出力手段１８２は、「金閣寺」に対応する地図情報を出力した後、移動する態様で、「龍安寺」に対応する地図情報を出力する。また、地図情報出力手段１８２は、金閣寺から龍安寺の経路を強調して出力する。なお、かかる場合、地図情報取得手段１７２は、経路探索機能を有する、とする。また、地図情報を用いた経路探索機能は公知技術であるので、その説明を省略する。
【０１６２】
（具体例４）
具体例４は、複数の地点情報の空間的関係情報を用いて取得される説明パターンが「比較説明」である場合である。
【０１６３】
今、番組受信部１３は番組を受信する。そして、番組出力部１５は、受信された番組を出力する。
【０１６４】
また、番組関連情報受信部１４は、同一シーンの番組の文字多重放送を受信する。次に、地点情報取得部１６は、受信された文字多重放送から、２つの地点情報「金閣寺，銀閣寺」を取得した、とする。
【０１６５】
次に、地点関連情報出力部１８は、２つ地点情報「金閣寺，銀閣寺」を、地点情報のリストの領域に出力する。また、地点関連情報出力部１８は、地点情報「金閣寺，銀閣寺」を、地点関連情報格納部１１に一時蓄積する。
【０１６６】
次に、地点関連情報取得部１７は、２つ地点情報「金閣寺，銀閣寺」の空間的関係情報のうちの包含関係「無し」を取得する。そして、地点関連情報取得部１７は、２つ地点情報「金閣寺，銀閣寺」の（緯度，経度）を地図情報格納部１０の地図情報を用いて取得する。次に、地点関連情報取得部１７は、２つ地点情報「金閣寺，銀閣寺」の距離Ｘを取得する。次に、地点関連情報取得部１７は、距離Ｘは閾値より長いである、と判断する。
【０１６７】
そして、ストリートビュー取得手段１７１は、出力制御表を参照し、「金閣寺」に対応するストリートビューを取得する。次に、ストリートビュー出力手段１８１は、取得されたストリートビューを出力する。
【０１６８】
また、ストリートビュー取得手段１７１は、「銀閣寺」に対応するストリートビューを取得する。次に、ストリートビュー出力手段１８１は、取得されたストリートビューを出力する。つまり、図４の４２の領域が２つに分割され、２つのストリートビューが出力される。
【０１６９】
また、地図情報取得手段１７２は、「金閣寺」と「銀閣寺」とを含む地図情報を取得する。そして、地図情報出力手段１８２は、「金閣寺」と「銀閣寺」とを含む地図情報を出力する。そして、地図情報出力手段１８２は、地図上の「金閣寺」と「銀閣寺」とを強調表示する。
【０１７０】
以上、本実施の形態によれば、番組に出現する地点に関する地点関連情報を番組と共に容易に出力できる。
【０１７１】
また、本実施の形態によれば、２以上の地点情報を用いて、２以上の地点関連情報を連続して取得し、地点関連情報の動きを出力できる。そのことにより、番組に出現する２以上の地点に関する２以上の地点関連情報を番組と共に容易に出力し、番組の中での地点の移動等をより深く理解できる番組受信装置１を提供できる。
【０１７２】
また、本実施の形態によれば、２つ以上の地点情報の空間的関係情報を用いて、２以上の地点関連情報を連続して取得し、かつ、取得した空間的関係情報に応じて、２以上の地点関連情報の取得方法が異なる番組受信装置１を提供できる。
【０１７３】
また、本実施の形態によれば、番組に出現する地点に関するストリートビューを番組と共に出力し、番組では表現しにくい距離感や周囲の雰囲気をより伝えることができる番組受信装置１を提供できる。
【０１７４】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、番組を受信する番組受信部と、当該番組に関連する情報であり、１または２以上の地点情報を含む番組関連情報を受信する番組関連情報受信部と、前記番組受信部が受信した番組を出力する番組出力部と、前記番組関連情報受信部が受信した番組関連情報から１または２以上の地点情報を取得する地点情報取得部と、前記地点情報取得部が取得した地点情報に対応する情報であり、当該地点情報に関する情報である１または２種類以上の地点関連情報を取得する地点関連情報取得部と、前記地点関連情報取得部が取得した１または２種類以上の地点関連情報を、前記番組と共に出力する地点関連情報出力部として機能させるためのプログラムである。
【０１７５】
また、上記プログラムにおいて、前記地点関連情報取得部は、前記地点情報取得部が取得した２以上の地点情報を用いて、２以上の地点関連情報を連続して取得し、前記地点関連情報出力部は、前記地点関連情報取得部が連続して取得した２以上の地点関連情報を出力することにより、地点関連情報の動きを出力するものとして、コンピュータを機能させるプログラムであることは好適である。
【０１７６】
また、上記プログラムにおいて、前記地点関連情報取得部は、前記地点情報取得部が取得した２以上の各地点情報の空間的な関係を示す空間的関係情報を取得し、当該空間的関係情報を用いて、２以上の地点関連情報を連続して取得し、かつ、取得した空間的関係情報に応じて、２以上の地点関連情報の取得方法が異なるものとして、コンピュータを機能させるプログラムであることは好適である。
【０１７７】
また、上記プログラムにおいて、前記１または２種類以上の地点関連情報は、ストリートビューを含むものとして、コンピュータを機能させるプログラムであることは好適である。
【０１７８】
また、上記プログラムにおいて、前記地点関連情報取得部は、前記地点情報取得部が取得した２以上の地点情報を用いて、少なくとも一つの地点情報の位置を示す位置情報、および前記２以上の地点情報間の方角に関する方角情報を取得し、当該位置情報および当該方角情報を用いて、ストリートビューを取得するものとして、コンピュータを機能させるプログラムであることは好適である。
【０１７９】
また、上記プログラムにおいて、前記地点関連情報取得部は、前記位置情報を用いて、当該位置情報のカメラ映像を取得し、前記方角情報を用いて、取得したカメラ映像から当該方角情報が示す方角に対応するストリートビューを取得するものとして、コンピュータを機能させるプログラムであることは好適である。
【０１８０】
また、上記プログラムにおいて、前記１または２種類以上の地点関連情報は、ストリートビューを含み、前記地点関連情報出力部は、前記空間的関係情報を用いて、前記２以上の地点情報が示す２以上の地点を移動する態様で、ストリートビューを出力するものとして、コンピュータを機能させるプログラムであることは好適である。
【０１８１】
また、上記プログラムにおいて、前記１または２種類以上の地点関連情報は、地図情報を含むものとして、コンピュータを機能させるプログラムであることは好適である。
【０１８２】
また、上記プログラムにおいて、前記地点関連情報取得部は、前記地点情報取得部が取得した２以上の各地点情報の空間的な関係を示す空間的関係情報を取得し、当該空間的関係情報に対応する地図情報を取得し、前記地点関連情報出力部は、前記空間的関係情報に応じて、異なる態様で地図情報を出力するものとして、コンピュータを機能させるプログラムであることは好適である。
【０１８３】
また、上記プログラムにおいて、前記地点関連情報出力部は、前記地点情報取得部が取得した２つの地点情報であり、第一の地点情報と当該第一の地点情報の後に受信された第二の地点情報との空間的関係情報に応じて、前記第一の地点情報に対応する地図情報を出力した後、前記第二の地点情報に対応する地図情報にズームインまたはズームアウトする態様で前記第二の地点情報を出力するものとして、コンピュータを機能させるプログラムであることは好適である。
【０１８４】
また、上記プログラムにおいて、前記地点関連情報出力部は、前記地点情報取得部が取得した２つの地点情報であり、第一の地点情報と当該第一の地点情報の後に受信された第二の地点情報との空間的関係情報に応じて、前記第一の地点情報が示す地点と前記第二の地点情報が示す地点とを含む地図情報を出力するものとして、コンピュータを機能させるプログラムであることは好適である。
【０１８５】
（実施の形態２）
本実施の形態において、番組関連情報（例えば、文字多重放送により放送される字幕データ、電子番組表、番組の内容を説明するＷｅｂページ等）から１以上のキー情報を取得し、当該１以上のキー情報を用いて、番組を補助する番組補助情報を出力する情報処理装置について説明する。なお、キー情報とは、予め決められたカテゴリーに属する用語であり、その詳細は後述する。
【０１８６】
また、本実施の形態において、１または２以上のキー情報を用いて、２種類以上の番組補助情報を出力する情報処理装置について説明する。
【０１８７】
また、本実施の形態において、２以上のキー情報の関係（例えば、空間的な関係）に応じて、異なる種類の番組補助情報を出力する情報処理装置について説明する。
【０１８８】
また、本実施の形態において、番組におけるシーンの切り替わりを考慮して、番組補助情報を出力する情報処理装置について説明する。
【０１８９】
また、本実施の形態において、番組の種類に応じて、出力する番組補助情報や、番組補助情報の出力方法（レイアウト等）を変更する情報処理装置について説明する。
【０１９０】
また、本実施の形態において、２以上のキー情報である２以上の地点情報を用いて、移動の交通手段（徒歩、電車等）を判断し、判断結果を用いて出力する地図等の番組補助情報を変更する情報処理装置について説明する。
【０１９１】
図６は、本実施の形態における情報処理装置２のブロック図である。
【０１９２】
情報処理装置２は、地図情報格納部１０、受付部１２、番組受信部１３、番組関連情報受信部１４、番組出力部１５、電子番組表格納部２０、キー情報取得部２１、シーン判断部２２、番組種類取得部２３、移動手段情報取得部２４、番組補助情報取得部２５、番組補助情報出力部２６を備える。
【０１９３】
番組関連情報受信部１４は、出力中の番組に関連する情報であり、１または２以上のキー情報を含む番組関連情報を受信する。番組関連情報は、文字多重放送による字幕データ、電子番組表、番組の内容を説明するＷｅｂページ等である。また、キー情報は、地点のカテゴリーに属する用語である地点情報である。
【０１９４】
電子番組表格納部２０は、電子番組表を格納し得る。電子番組表は、通常、情報処理装置２が受信した情報である。なお、電子番組表は、例えば、番組関連情報受信部１４または番組受信部１３が受信する。
【０１９５】
キー情報取得部２１は、番組関連情報受信部１４が受信した番組関連情報から、予め決められたカテゴリーに属する用語である１または２以上のキー情報を取得する。予め決められたカテゴリーとは、予め決められた種類の情報であると言っても良いし、予め決められた属性を有する情報であると言っても良い。予め決められたカテゴリーとは、例えば、地名、人名、番組名、テレビ局名等である。つまり、キー情報は、地点を示す地点情報、人名を示す人名情報等である。なお、本実施の形態において、キー情報は、主として、地点情報である、とする。
【０１９６】
キー情報取得部２１は、番組関連情報受信部１４が受信した番組関連情報から、２以上のキー情報を取得することは好適である。
【０１９７】
キー情報取得部２１が番組関連情報から地点情報または人名情報等のキー情報を取得する技術は公知技術である。キー情報取得部２１は、例えば、番組関連情報を形態素解析し、名詞または名詞句を取得する。そして、キー情報取得部２１は、取得した名詞または名詞句をキーとして、地図情報格納部１０を検索し、地点情報であるキー情報を取得する。また、キー情報取得部２１は、取得した名詞または名詞句をキーとして、図示しない人名辞書を検索し、人名であるキー情報を取得する。なお、人名辞書は、情報処理装置２が保持していても良いし、Ｗｅｂ検索を行うなどしても良い。
【０１９８】
シーン判断部２２は、番組におけるシーンの切り替わりを判断する。シーン判断部２２は、例えば、キー情報を取得してから予め決められた時間（例えば、１５秒）以上が経過した場合に、シーンが切り替わったと判断する。つまり、シーン判断部２２は、例えば、取得したキー情報のうち、最も新しいキー情報を取得してから予め決められた時間（例えば、１５秒）以上が経過した場合に、シーンが切り替わったと判断する。また、シーン判断部２２は、例えば、定期的（例えば、１５秒ごと）に、シーンが切り替わったと判断する。また、シーン判断部２２は、例えば、キー情報取得部２１が最初にキー情報を取得した後、予め決められた時間（例えば、１５秒）、経過した場合に、シーンが切り替わったと判断する。また、シーン判断部２２は、例えば、現在、出力されている番組の画像と直前に出力された画像とを比較して、予め決められた以上の変化があると判断した場合、シーンが切り替わったと判断する。なお、２つの画像の類似度または相違度を取得する技術は公知技術であり、かかる類似度または相違度を用いて、シーン判断部２２は、予め決められた以上の変化があるか否かを判断しても良い。
【０１９９】
番組種類取得部２３は、番組の種類を取得する。番組種類取得部２３は、電子番組表格納部２０に格納されている電子番組表の番組のジャンルであり、出力中の番組のジャンルを取得する。なお、番組の種類とは、通常、番組のジャンルである。
【０２００】
移動手段情報取得部２４は、２以上のキー情報を用いて、番組内で使用している移動手段の種類を示す移動手段情報を取得する。ここで、キー情報は、通常、地点情報である。移動手段情報取得部２４は、例えば、２つの地点情報が出現した時間間隔と、２つの地点情報が示す２つの地点間の距離とを用いて、移動速度を取得し、移動速度を用いて、徒歩での移動か、電車での移動か、自動車での移動か等を決定する。移動手段情報取得部２４は、例えば、移動手段情報と移動速度の幅を示す情報との組を２組以上、格納しており、取得した移動速度に対応する移動手段情報を取得する。
【０２０１】
番組補助情報取得部２５は、キー情報取得部２１が取得したキー情報に対応する情報であり、番組の内容を補足する情報である番組補助情報を取得する。なお、番組補助情報とは、例えば、写真、ストリートビュー、地図情報、ブログ、電車の路線を示す情報等である。番組補助情報取得部２５は、キー情報を属性として付された写真を取得しても良い。また、番組補助情報取得部２５は、キー情報をキーとして、Ｗｅｂ上の写真を検索して、写真を取得しても良い。また、番組補助情報取得部２５は、１または２以上の地点情報（キー情報）を含む領域の地図を取得しても良い。また、番組補助情報取得部２５は、１または２以上の各地点情報に対応するストリートビューを取得しても良い。また、番組補助情報取得部２５は、キー情報である人名に対応するブログをＷｅｂから検索しても良い。なお、人名に対応するブログとは、人名で識別される人が記載したブログである。また、電車の路線を示す情報とは、出発駅から到着駅までの経路を示す情報である。なお、出発駅から到着駅までの経路を示す情の取得技術は公知技術である（例えば、ＵＲＬ「http://www.jorudan.co.jp/」参照）。
【０２０２】
番組補助情報取得部２５は、キー情報取得部２１が取得した２以上のキー情報を用いて、番組補助情報を取得することは好適である。例えば、番組補助情報取得部２５は、２以上の地点情報が示す２以上の地点をすべて含む地図情報、２以上の地点の経路上にある２または３以上のストリートビュー、２以上の地点に関する写真を取得することは好適である。
【０２０３】
また、番組補助情報取得部２５は、キー情報取得部２１が連続して取得した２以上のキー情報を用いて、番組補助情報を取得することは好適である。
【０２０４】
番組補助情報取得部２５は、２種類以上の番組補助情報を取得しても良い。番組補助情報取得部２５は、例えば、ストリートビューと地図情報とを取得する。また、番組補助情報取得部２５は、例えば、写真とストリートビューと地図情報とを取得する。
【０２０５】
番組補助情報取得部２５は、２以上のキー情報の関係に応じて、異なる種類の番組補助情報を取得する。ここで、キー情報は、例えば、地点情報であり、関係とは、例えば、空間的関係である。空間的関係とは、例えば、２つのキー情報が示す２つの地点の包含関係や、２つの地点の距離に関する関係（閾値より近いか遠いか等）である。
【０２０６】
番組補助情報取得部２５は、キー情報取得部２１が取得した２以上の各地点情報の空間的な関係を示す空間的関係情報を取得し、空間的関係情報を用いて、２以上の番組補助情報を連続して取得する。
【０２０７】
番組補助情報は、地点に関する情報である地点関連情報を含んでも良い。また、番組補助情報は、人に関する情報である人関連情報を含んでも良い。
【０２０８】
番組補助情報出力部２６は、番組補助情報取得部２５が取得した番組補助情報を出力する。番組補助情報出力部２６は、例えば、１以上の出力制御情報を保持している。出力制御情報とは、出力する１種類以上の番組補助情報を特定する情報、または／および１種類以上の番組補助情報の出力方法を決定するための情報である。出力制御情報は、例えば、２つ以上のキー情報の空間的関係を示す空間的関係情報、説明パターンを識別する説明パターン識別子、１種類以上の各番組補助情報の出力方法を示す情報を有する。説明パターン識別子とは、番組補助情報の出力態様を決定するための識別子であり、番組を補助するパターンを示す情報である。
【０２０９】
番組補助情報出力部２６は、２種類以上の番組補助情報のうち、１または２種類以上の番組補助情報を出力する。番組補助情報出力部２６は、番組が出力される装置とは別のディスプレイに番組補助情報を出力しても良い。番組補助情報出力部２６は、番組が出力される装置とは別の装置に番組補助情報を出力しても良い。番組補助情報出力部２６は、番組が出力される装置とは別の装置に番組補助情報を送信しても良い。そして、当該別の装置（例えば、スマートフォン等の携帯端末）が番組補助情報を表示しても良い。
【０２１０】
番組補助情報出力部２６は、一の種類の番組補助情報を出力できない場合に、他の種類の番組補助情報を出力することは好適である。
【０２１１】
番組補助情報出力部２６は、シーン判断部２２が判断したシーンの切り替わりの際には、番組補助情報の連続した出力を行わないことは好適である。
【０２１２】
番組補助情報出力部２６は、キー情報取得部２１が取得したキー情報に対応するストリートビューが出力できない場合に、キー情報取得部２１が取得したキー情報に対応する他の種類の番組補助情報を出力することは好適である。
【０２１３】
番組補助情報出力部２６は、番組の種類に応じて、出力する番組補助情報の種類を変えることは好適である。また、番組補助情報出力部２６は、番組の種類に応じて、番組補助情報の出力態様を変えることは好適である。
【０２１４】
番組補助情報出力部２６は、移動手段情報に応じて、番組補助情報の出力態様を変えることは好適である。また、番組補助情報出力部２６は、移動手段情報に応じて、出力する番組補助情報を選択して、出力することは好適である。例えば、移動手段情報が「電車」を示す情報である場合、番組補助情報出力部２６は、地図情報に代えて、または地図情報に加えて、電車の路線を示す情報を出力することは好適である。
【０２１５】
番組補助情報出力部２６は、番組補助情報を番組と共に出力することは好適である。
【０２１６】
電子番組表格納部２０は、不揮発性の記録媒体が好適であるが、揮発性の記録媒体でも実現可能である。
【０２１７】
電子番組表格納部２０に電子番組表が記憶される過程は問わない。例えば、記録媒体を介して電子番組表が電子番組表格納部２０で記憶されるようになってもよく、通信回線等を介して送信された電子番組表が電子番組表格納部２０で記憶されるようになってもよく、あるいは、入力デバイスを介して入力された電子番組表が電子番組表格納部２０で記憶されるようになってもよい。
【０２１８】
キー情報取得部２１、シーン判断部２２、番組種類取得部２３、移動手段情報取得部２４、番組補助情報取得部２５は、通常、ＭＰＵやメモリ等から実現され得る。キー情報取得部２１等の処理手順は、通常、ソフトウェアで実現され、当該ソフトウェアはＲＯＭ等の記録媒体に記録されている。但し、ハードウェア（専用回路）で実現しても良い。
【０２１９】
番組補助情報出力部２６は、ディスプレイやスピーカー等の出力デバイスを含むと考えても含まないと考えても良い。番組補助情報出力部２６は、出力デバイスのドライバーソフトまたは、出力デバイスのドライバーソフトと出力デバイス等で実現され得る。
【０２２０】
次に、情報処理装置２の動作について、図７のフローチャートを用いて説明する。図７のフローチャートにおいて、図２のフローチャートと同一のステップについて、説明を省略する。
【０２２１】
（ステップＳ７０１）キー情報取得部２１は、ステップＳ２０３で受信された番組関連情報から、１以上のキー情報を取得する。なお、ここで、キー情報取得部２１は、取得した１以上のキー情報を、ディスプレイ等に出力しても良い。
【０２２２】
（ステップＳ７０２）番組補助情報取得部２５は、ステップＳ７０１で取得された１以上のキー情報を用いて、１種類以上の番組補助情報を取得する。番組補助情報の取得処理について、図８のフローチャートを用いて説明する。
【０２２３】
（ステップＳ７０３）番組補助情報出力部２６は、ステップＳ７０２で取得された１種類以上の番組補助情報を出力する。ステップＳ２０１に戻る。番組補助情報の出力処理について、図９のフローチャートを用いて説明する。
【０２２４】
（ステップＳ７０４）受付部１２は、ユーザから指示を受け付けたか否かを判断する。指示を受け付けた場合はステップＳ７０５に行き、指示を受け付けない場合はステップＳ２０１に戻る。なお、ここでの指示は、出力されているキー報への指示である、とする。
【０２２５】
（ステップＳ７０５）番組補助情報取得部２５は、ステップＳ７０４で受け付けられた指示に対応するキー報を取得する。
【０２２６】
（ステップＳ７０６）番組補助情報取得部２５は、ステップＳ７０５で取得したキー報に対応する１種類以上の番組補助情報を取得する。
【０２２７】
（ステップＳ７０７）番組補助情報出力部２６は、ステップＳ７０６で取得された１種類以上の番組補助情報を出力する。ステップＳ２０１に戻る。
【０２２８】
なお、図７のフローチャートにおいて、取得されたキー情報が出力された。しかし、取得されたキー情報は出力されなくても良い。かかる場合、出力されているキー情報に対する指示は受け付けられない。
【０２２９】
また、図７のフローチャートにおいて、電源オフや処理終了の割り込みにより処理は終了する。
【０２３０】
次に、ステップＳ７０２の番組補助情報の取得処理について、図８のフローチャートを用いて説明する。
【０２３１】
（ステップＳ８０１）番組補助情報取得部２５は、取得された１以上のキー情報を図示しないバッファに一時蓄積する。
【０２３２】
（ステップＳ８０２）シーン判断部２２は、出力中の番組のシーンの切り換えが発生したか否かを判断する。シーンの切り換えが発生したと判断した場合はステップＳ７０６に行き、シーンの切り換えが発生していないと判断した場合はステップＳ８０３に行く。
【０２３３】
（ステップＳ８０３）番組補助情報取得部２５は、図示しないバッファに一時蓄積されている１以上のキー情報を取得する。なお、かかる１以上のキー情報は、同じシーンの中で蓄積されたキー情報である。
【０２３４】
（ステップＳ８０４）番組補助情報取得部２５は、ステップＳ８０３で取得された１以上のキー情報を用いて、空間的関係情報を取得する。番組補助情報取得部２５は、通常、地図情報を用いて、２つのキー情報の空間的関係情報を取得する。なお、番組補助情報取得部２５が空間的関係情報を取得する方法は、地点関連情報取得部１７が空間的関係情報を取得する方法と同様であるので、詳細な説明を省略する。
【０２３５】
（ステップＳ８０５）番組補助情報取得部２５は、１以上の出力制御情報から、空間的関係情報に対応する説明パターン識別子を取得する。
【０２３６】
（ステップＳ８０６）番組補助情報取得部２５は、ステップＳ８０５で取得した説明パターン識別子に対応する１種類以上の番組補助情報であり、ステップＳ８０３で取得された１以上のキー情報に対応する番組補助情報を取得する。上位処理にリターンする。なお、１種類以上の番組補助情報は、例えば、ストリートビュー、地図情報、写真等のうちの１種類以上の情報である。
【０２３７】
次に、ステップＳ７０３の番組補助情報の出力処理について、図９のフローチャートを用いて説明する。
【０２３８】
（ステップＳ９０１）移動手段情報取得部２４は、ステップＳ８０３で取得された２以上のキー情報を用いて、単位時間あたりの移動距離（移動速度）を算出する。次に、移動手段情報取得部２４は、移動速度に対応する移動手段情報を取得する。なお、ここで、移動手段情報取得部２４は、移動手段情報を取得できない場合があっても良い。
【０２３９】
（ステップＳ９０２）番組補助情報出力部２６は、番組出力部１５が出力している番組の番組識別子を取得する。そして、番組補助情報出力部２６は、番組識別子に対応する番組の種類（ジャンル）を、電子番組表格納部２０の電子番組表から取得する・
【０２４０】
（ステップＳ９０３）番組補助情報出力部２６は、ステップＳ９０１で取得した移動手段情報、およびステップＳ９０２で取得した番組の種類のうちの１以上の情報を用いて、出力する１種類以上の番組補助情報の出力レイアウトを決定する。
【０２４１】
（ステップＳ９０４）番組補助情報出力部２６は、ステップＳ９０３で決定した出力レイアウトに従って、番組補助情報取得部２５が取得した１種類以上の番組補助情報を出力する。上位処理にリターンする。
【０２４２】
なお、図９のフローチャートにおいて、番組補助情報出力部２６は、移動手段情報や番組の種類を用いずに、番組補助情報を出力しても良い。
【０２４３】
以下、本実施の形態における情報処理装置２の具体的な動作について説明する。
【０２４４】
今、番組関連情報は、ＴＶ番組における字幕データである。また、取得するキー情報は、地点情報である。また、地点情報は、ここでは、通常、地名である。つまり、番組関連情報受信部１４は、出力されている番組の字幕データを取得する。
【０２４５】
また、キー情報取得部２１は、字幕データから地点情報を取得する。また、ここでは、シーン判断部２２は、取得したキー情報のうち、最も新しいキー情報を取得してから予め決められた時間（ここでは、１５秒）以上が経過した場合に、シーンが切り替わったと判断する。
【０２４６】
また、番組種類取得部２３は、電子番組表から、出力中の番組のジャンルを取得する。ジャンルとは、ニュース、スポーツ、バラエティー、ドラマ等である。
【０２４７】
また、移動手段情報取得部２４は、図１０に示す移動手段決定管理表を保持している。移動手段決定管理表は、移動手段を決定するための表である。移動手段決定管理表は、「速度」「地点情報」「移動手段」を有するレコードを１以上管理している。図１０において、例えば、「速度（ｘ）がａ１以下である場合、移動手段情報取得部２４は、移動手段情報「徒歩」を取得することを示す。また、図１０において、例えば、「速度（ｘ）がａ１より大きく、ａ２以下であり、かつ速度を決定する場合に用いた地点情報が「．＊駅」に合致する場合、移動手段情報取得部２４は、移動手段情報「電車」を取得することを示す。なお、「．＊駅」は最後の文字が「駅」である文字列である。さらに、図１０において、例えば、「速度（ｘ）がａ１より大きく、ａ３以下であり、かつ「電車」でない場合、移動手段情報取得部２４は、移動手段情報「自動車」を取得することを示す。
【０２４８】
また、番組補助情報取得部２５は、図１１に示す出力制御表を用いて、番組補助情報を取得する。さらに、番組補助情報出力部２６は、図１１に示す出力制御表を用いて、番組補助情報取得部２５が取得した１種類以上の番組補助情報を出力する。
【０２４９】
今、番組補助情報取得部２５は、図１１に示す出力制御表を保持している、とする。ここでの出力制御表は、ストリートビューまたは／および地図情報または／および写真の出力態様を決定するための表であり、ストリートビューまたは／および地図情報または／および写真の出力を制御するための表である。
【０２５０】
出力制御表は、２つの地点情報が示す地点（ここでは、ＡとＢ）の空間的関係の情報を有する。空間的関係の情報とは、ここでは、包含関係、領域の広さ、および距離である。つまり、出力制御表は、包含関係、領域の広さ、および距離をパラメータとして、地点関連情報の出力を制御するための表である。なお、２つの地点情報は、番組関連情報に含まれる地点情報であり、同時または時間的に閾値以内に受信された番組関連情報に含まれる地点情報である。また、番組のシーンの切り替えの情報を番組関連情報が有する場合、２つの地点情報は、同一のシーンにおける番組関連情報に含まれる地点情報である。
【０２５１】
また、出力制御表は、「空間的関係ＩＤ」「空間的関係情報」「空間的関係」「説明パターン」「出力制御」を有する。「空間的関係ＩＤ」は、２つの地点情報が示す地点（ここでは、ＡとＢ）の空間的な関係を示す識別子である。「空間的関係情報」は、２つの地点情報が示す地点（ここでは、ＡとＢ）の空間的な関係を示す情報である。「空間的関係」は「空間的関係情報」を決定するための情報であり、ここでは「包含関係」「領域の広さ」「距離」を有する。つまり、ここでは、ＡとＢとの領域の包含関係、ＡおよびＢの領域の広さ、ＡとＢとの距離を用いて、ＡとＢとの空間的関係が決定される。「説明パターン」は、番組の補助態様を示す。「説明パターン」が決まれば、出力される番組補助情報の種類および出力態様が決定される。番組補助情報の種類は、ここでは、ストリートビュー、地図、写真のうちの１以上である。なお、空間的関係とは地理的関係とも言う。また、「出力制御」とは、出力する番組関連情報、および出力態様を示す。「出力制御」は、ストリートビューの出力態様を示す「ストリートビュー制御」、地図の出力態様を示す「地図制御」、写真の出力態様を示す「写真制御」を有する。
【０２５２】
地点情報が示す地名はそれぞれ領域を持っている。例えば、都道府県や市町村など領域の広さはそれぞれ異なる。本具体例では、番組補助情報取得部２５は、時系列に沿って前後関係にある二つの地名における領域関係を判定する。番組補助情報取得部２５は、地名の領域の関係抽出には9-intersection（「倉田洋平．地理情報科学における位相的空間関係の研究と今後の課題．GIS −理論と応用，Vol. 18, No. 2, pp. 41-51 (2010)」参照）という公知技術を用いる。
【０２５３】
なお、9-intersectionでは、２つの地点の関係を９つのパターンに分類している。しかし、本具体例において、地理的な領域の境界の重複は番組構成においては重要ではないと考え、領域の境界の重複の有無を考慮せず、9-intersectionを変更している。
【０２５４】
以下、本具体例における２つの地点の地理的関係の定義と例を説明する。図１１の包含関係「一致（Ａ＝Ｂ）」とは完全にＡおよびＢの地名が一致する場合である。例えば、「九州」という地名が出現した後に同じ「九州」という地名が出現した場合は、番組補助情報取得部２５は「一致」と判定する。
【０２５５】
また、「分離」とは完全に二つの地名の領域が離れている場合である。例えば、「福岡県」と「鹿児島県」という地名は完全に分離しているので、番組補助情報取得部２５は「分離」という地理的関係である判定する。そして、番組補助情報取得部２５は、空間的関係情報「equal」を取得する。
【０２５６】
また、「分離」の場合、番組補助情報取得部２５は、２つの地点の距離、および領域の広さにより、さらに「分離」という関係を詳細に分類する。つまり、番組補助情報取得部２５は、包含関係「分離」であり、２つの地点の距離が閾値より近い近傍である場合と、閾値より遠い遠方の場合の二種類が存在するとして、「分離」という関係をさらに詳細に分類する。また、番組補助情報取得部２５は、２つの各地点の領域の広さが閾値より広い広域の場合と、閾値より狭い境域の場合の二種類が存在するとして、「分離」という関係をさらに詳細に分類する。そして、包含関係「分離」、領域の広さが閾値より広い「広い」、２つの各地点の距離が閾値より近い「近い」の場合は、番組補助情報取得部２５は、空間的関係情報「disjoin-n（広域）」を取得する。また、包含関係「分離」、領域の広さが閾値より広い「広い」、２つの各地点の距離が閾値より遠い「遠い」の場合は、番組補助情報取得部２５は、空間的関係情報「disjoin-f（広域）」を取得する。また、包含関係「分離」、領域の広さが閾値より狭い「狭い」、２つの各地点の距離が閾値より近い「近い」の場合は、番組補助情報取得部２５は、空間的関係情報「disjoin-n（狭域）」を取得する。さらに、包含関係「分離」、領域の広さが閾値より狭い「狭い」、２つの各地点の距離が閾値より遠い「遠い」の場合は、番組補助情報取得部２５は、空間的関係情報「disjoin-f（狭域）」を取得する。
【０２５７】
例えば、「福岡県」と「鹿児島県」という地名は完全に分離しているので、番組補助情報取得部２５は、包含関係「分離」という地理的関係と判定する。また、例えば、「福岡県」と「鹿児島県」とは遠く、かつ各地点は広域であると判断し、番組補助情報取得部２５は、空間的関係情報「disjoin-f（広域）」を取得する。なお、距離の判断には、番組のジャンルごと、または番組毎に閾値を設定しても良い。
【０２５８】
また、包含関係「外接触」とは二つの地名の領域の境界の一部が重複している場合である。例えば、「福岡県」と「佐賀県」は隣接しているので、これらの地名の包含関係「外接触」となり、番組補助情報取得部２５は、空間的関係情報「meet」を取得する。
【０２５９】
また、包含関係「重複」とは二つの地名の領域の一部に重複がある場合である。例えば、「人吉市」と「球磨川」という二つの地名の関係は「重複」であるので、これらの地名の包含関係「重複」となり、番組補助情報取得部２５は、空間的関係情報「overlap」を取得する。
【０２６０】
また、包含関係「内包」とは、ＡとＢとの地名が包含関係（Ａ⊃Ｂ）にあるということである。例えば、「福岡県」と「博多駅」という二つの地名の関係を順次、抽出すると、「福岡県」の中に「博多駅」を含むという包含関係にあるので、番組補助情報取得部２５は、空間的関係情報「contains」を取得する。
【０２６１】
さらに、包含関係「内在」とは、ＡとＢとの地名が内在する関係（Ａ⊂Ｂ）にあるということである。例えば、「博多駅」という地名の後に「福岡県」という地名が出現した場合、「博多駅」は「福岡県」の領域中に存在しているので、番組補助情報取得部２５は、空間的関係情報「inside」を取得する。
【０２６２】
以上、図１１によれば、番組補助情報取得部２５は、２つの地点の包含関係、領域の広さ、および距離を用いて、２つの地点の空間的関係を９つのパターンに分類し得る。そして、番組補助情報取得部２５は、９つの各空間的関係に対する説明パターンを図１１に示すように決定し得る。
【０２６３】
つまり、空間的関係「equal」「contains」の場合、説明パターンは、当該１または２つの地点を説明する「地点説明」である。「地点説明」には、「equal」に対応する「地点説明（１）」、「contains」に対応する「地点説明（２）」の２種類がある。「地点説明（１）」について、番組補助情報取得部２５は一の地点を含む地図を取得し、番組補助情報出力部２６は当該地図を出力する。また、番組補助情報取得部２５は一の地点に対応する写真を取得し、番組補助情報出力部２６は当該写真を出力する。「地点説明（２）」について、番組補助情報取得部２５はＡの地図を取得し、番組補助情報出力部２６はＡの地図を出力する。次に、番組補助情報取得部２５はＢの地図を取得し、番組補助情報出力部２６はＡの地図からＢの地図にズームインするように、Ｂの地図を出力する。また、「地点説明（２）」について、番組補助情報取得部２５はＡの写真を取得し、番組補助情報出力部２６はＡの写真を出力する。次に、番組補助情報取得部２５はＢの写真を取得し、番組補助情報出力部２６はＢの写真を出力する。
【０２６４】
また、空間的関係「disjoin-n（広域）」「disjoin-f（広域）」「meet」の場合、説明パターンは、当該２つの地点（ＡとＢ）を比較して説明する「地点比較」である。「地点比較」について、番組補助情報取得部２５はＡとＢとを含む地図を取得し、番組補助情報出力部２６は当該地図を出力する。また、「地点比較」について、番組補助情報取得部２５はＡの写真を取得し、番組補助情報出力部２６は当該Ａの写真を出力する。そして、その後、番組補助情報取得部２５はＢの写真を取得し、番組補助情報出力部２６は当該Ｂの写真を出力する。
【０２６５】
また、空間的関係「disjoin-n（狭域）」「disjoin-f（狭域）」の場合、説明パターンは、当該２つの地点への経路を説明する「経路説明」である。「経路説明」について、番組補助情報出力部２６は、ここでは、地図とストリートビューとを用いて、二つの地点間の経路を出力する。つまり、番組補助情報取得部２５は、二つの地名（ＡとＢ）を含む地図を取得する。そして、番組補助情報取得部２５は、公知の経路探索技術により、ＡからＢへの経路を探索し経路情報を取得する。そして、番組補助情報出力部２６は、取得された地図を出力し、かつ当該地図上に、経路情報で示される経路を出力する。また、番組補助情報取得部２５は、経路情報で示される経路に沿って、経路上の各地点のストリートビューを取得する。そして、番組補助情報出力部２６は、順次、番組補助情報取得部２５が取得したストリートビューを出力する。また、番組補助情報取得部２５と番組補助情報出力部２６とは、開始地点（Ａ）と終了地点（Ｂ）ではカメラを所定角度（例えば、１８０度）回転させ、周囲の様子を見渡す演出を施すことは好適である。
【０２６６】
さらに、空間的関係「overlap」「inside」の場合、説明パターンは、当該２つの地点を含む地域を説明する「地域説明」である。「地域説明」は、「地域説明（１）」と「地域説明（２）」とがある。「地域説明（１）」について、番組補助情報取得部２５は、ＡとＢとの重複領域を含む地図を取得し、番組補助情報出力部２６は当該地図を出力する。また、番組補助情報取得部２５は、ＡとＢとの重複領域の写真を取得し、番組補助情報出力部２６は当該写真を出力する。「地域説明（２）」について、番組補助情報取得部２５は、ＡとＢの地図を取得し、番組補助情報出力部２６はＡの地図を出力した後、Ａの地図からＢの地図にズームインするように、Ｂの地図を出力する。また、番組補助情報取得部２５は、ＡとＢの写真を取得し、番組補助情報出力部２６はＡの写真を出力した後、Ｂの写真を出力する。
【０２６７】
以上より、番組補助情報出力部２６は、図１１の表を用いて、番組補助情報取得部２５が取得した１または２種類以上の番組補助情報を、図１１の説明パターンに対応する１または２種類以上の番組補助情報を、「ストリートビュー制御」「地図制御」および「写真制御」のうちの１以上の情報を用いて出力する。
（実験）
【０２６８】
以下、情報処理装置２が具体的な番組を出力しているテレビである場合の、情報処理装置２の実験結果について説明する。
【０２６９】
今、実際の番組である「超豪華列車誕生  九州・美しの国を行く」（インターネットＵＲＬ「http://www.nhk.or.jp/hakken/kyushu/program/tetsudo.html」参照） の一部に行った演出について説明する。
【０２７０】
今、番組受信部１３は、上記の番組を受信する。また、番組関連情報受信部１４は、当該番組の番組関連情報である字幕データを受信する。そして、番組出力部１５は番組を出力している。
【０２７１】
そして、キー情報取得部２１は、字幕データから、予め決められたカテゴリーに属する用語である地点情報を取得した、とする。ここで、キー情報取得部２１は、「九州」→「福岡」→「大分」→「慈恩の滝」→「大分」→「由布院駅」→「伽藍岳」→「九州」→「福岡」→「鹿児島」→「嘉例川駅」という順序で、キー情報である地点情報を順次、取得した、とする（図１２参照）。また、キー情報取得部２１は、ここでは、キー情報と時間情報とを一緒に取得する、とする。なお、図１２において、出力されている番組を構成する画像（１２０１）、取得された地点情報とその時間情報（１２０２）、２つの地点情報が示す２つの地点の空間的関係（１２０３）が記載されている。また、時間情報とは、キー情報が出現する時を特定する情報である。
【０２７２】
ここで、シーン判断部２２は、一つ目の地点情報が出現してから１５秒以内に次の地名が出現した場合に同一シーンと判断する、とする。
【０２７３】
次に、番組補助情報取得部２５は、最初の地点情報「九州」を用いて、「九州」単体での演出を行うように、番組補助情報を取得する。なお、ここで、一地点単体の演出とは、当該地点の地図情報と写真を出力することである、とする。
【０２７４】
つまり、番組補助情報取得部２５は、「九州」の縮尺の地図を地図情報格納部１０またはＷｅｂ上から取得する。そして、番組補助情報出力部２６は、「九州」の縮尺の地図を地図の出力する領域に表示する。図１３の画面（ａ）の１３０１が表示されている地図である。また、１３０２は表示されている番組、１３０３は取得され、表示されている地点情報である。次に、番組補助情報取得部２５は、キー情報「九州」を用いて写真を検索し、取得する。なお、写真の集合は、情報処理装置２が図示しない記録媒体に保持していても良いし、Ｗｅｂから検索しても良い。そして、番組補助情報出力部２６は、次の地点情報が出現するまでの間、「九州」に関する写真を出力する（図１３の１３０４参照）。
【０２７５】
次に、キー情報取得部２１は、「福岡」という地点情報を取得する。そして、番組補助情報取得部２５は、「九州」と「福岡」との空間的関係情報「contains」を取得する。そして、番組補助情報取得部２５は、空間的関係情報「contains」に対応する説明パターン「地点説明（２）」に従って、「福岡」の地図を取得する。そして、番組補助情報出力部２６は、「九州」の領域から「福岡」の領域までズームインする地図情報を出力する（図１３の１３０５参照）。
【０２７６】
次に、番組補助情報取得部２５は、「福岡」をキーにして、写真を取得する。そして、番組補助情報出力部２６は、当該「福岡」の写真を出力する（図１３の１３０６参照）。
【０２７７】
次に、字幕データに「福岡」という地点情報が出現した後、すぐに「大分」という地点情報が出現した。そして、キー情報取得部２１は、「大分」を取得する。
【０２７８】
次に、番組補助情報取得部２５は、ここでの「大分」は「大分県」と判定し、この二つの地名の領域関係に基づき、「福岡」disjoint「大分」という包含関係を抽出する。つまり、番組補助情報取得部２５は、包含関係「disjoint」を取得する。また、番組補助情報取得部２５は、地図情報格納部１０の地図情報を用いて、「福岡」「大分」は、閾値より狭い「狭域」であり、閾値より広い距離が遠い「遠い」と判断した、とする。つまり、番組補助情報取得部２５は、空間的関係情報「disjoint-f（狭域）」を取得する。
【０２７９】
次に、番組補助情報取得部２５は、「disjoint-f（狭域）」に対応する説明パターン「経路説明」に従って、「福岡」「大分」を含む地図を取得する。また、番組補助情報取得部２５は、「福岡」から「大分」への経路探索を行い、経路情報を取得する。また、番組補助情報取得部２５は、当該経路情報に対応する各地点のストリートビューを順次取得する。そして、番組補助情報出力部２６は、「福岡」「大分」を含む地図を出力し、かつ当該地図上に、「福岡」から「大分」への経路探索を出力する（１３０７参照）。また、番組補助情報出力部２６は、「福岡」から「大分」への経路を示すように、経路情報に対応する各地点のストリートビューを順次出力する（１３０８参照）。
【０２８０】
次に、シーン判断部２２は、直前の地点情報「大分」の取得から１５秒以上経過していることを検知し、シーンが切り替わったと判断する。
【０２８１】
そして、次に、キー情報取得部２１は、地点情報「慈恩の滝」を取得する。そして、番組補助情報取得部２５等は、「慈恩の滝」単体での演出を行う。つまり、番組補助情報取得部２５は、「慈恩の滝」を含む地図を取得する。そして、番組補助情報出力部２６は当該地図を出力する。また、番組補助情報取得部２５は、「慈恩の滝」の写真を取得する。そして、番組補助情報出力部２６は当該写真を出力する。
【０２８２】
次に、字幕データに、「大分」と「由布院駅」という地点情報がほぼ同時に出現した、とする。番組補助情報取得部２５は、ここでの「大分」は「大分市」と判定する、とする。番組補助情報取得部２５は、「大分」「由布院駅」における包含関係「disjoint」を取得する。また、番組補助情報取得部２５は、地図情報格納部１０の地図情報を用いて、「大分」「由布院駅」は、閾値より狭い「狭域」であり、閾値より広い距離が近い「近い」と判断した、とする。つまり、番組補助情報取得部２５は、空間的関係情報「disjoint-n（狭域）」を取得する。
【０２８３】
次に、番組補助情報取得部２５は、「disjoint-n（狭域）」に対応する説明パターン「経路説明」に従って、「大分」「由布院駅」を含む地図を取得する。また、番組補助情報取得部２５は、「大分」から「由布院駅」への経路探索を行い、経路情報を取得する。また、番組補助情報取得部２５は、当該経路情報に対応する各地点のストリートビューを順次取得する。そして、番組補助情報出力部２６は、「大分」「由布院駅」を含む地図を出力し、かつ当該地図上に、「大分」から「由布院駅」への経路探索を出力する（１３１１参照）。また、番組補助情報出力部２６は、「大分」から「由布院駅」への経路を示すように、経路情報に対応する各地点のストリートビューを順次出力する（１３１２参照）。
【０２８４】
次に、キー情報取得部２１は、キー情報「伽藍岳」を取得する。次に、シーン判断部２２は、シーンの切り替わりが発生していない、と判断する。「由布院駅」の出現から１５秒以上、経過していないからである。次に、番組補助情報取得部２５は、「由布院駅」disjoint「伽藍岳」という包含関係を検知する。次に、番組補助情報取得部２５は、地図情報格納部１０の地図情報を用いて、「由布院駅」「伽藍岳」は、閾値より狭い「狭域」であり、閾値より広い距離が近い「近い」と判断した、とする。つまり、番組補助情報取得部２５は、空間的関係情報「disjoint-n（狭域）」を取得する。
【０２８５】
次に、番組補助情報取得部２５は、「disjoint-n（狭域）」に対応する説明パターン「経路説明」に従って、「由布院駅」「伽藍岳」を含む地図を取得する。また、番組補助情報取得部２５は、「由布院駅」から「伽藍岳」への経路探索を行い、経路情報を取得する。また、番組補助情報取得部２５は、当該経路情報に対応する各地点のストリートビューを順次取得する。そして、番組補助情報出力部２６は、「由布院駅」「伽藍岳」を含む地図を出力し、かつ当該地図上に、「由布院駅」から「伽藍岳」への経路探索を出力する（１３１３参照）。また、番組補助情報出力部２６は、「由布院駅」から「伽藍岳」への経路を示すように、経路情報に対応する各地点のストリートビューを順次出力する（１３１４参照）。
【０２８６】
次に、キー情報取得部２１は、キー情報「九州」を取得する。次に、シーン判断部２２は、シーンの切り替わりが発生している、と判断する。そして、番組補助情報取得部２５等は、「九州」単体での演出を再度行う（図１３の（ｇ）参照）。かかる演出は、既に説明したので、再度の説明を省略する。
【０２８７】
次に、キー情報取得部２１は、キー情報「福岡」を取得する。次に、シーン判断部２２は、シーンの切り替わりが発生していない、と判断する。そして、番組補助情報取得部２５は、「九州」と「福岡」との空間的関係情報「contains」を取得する。そして、番組補助情報取得部２５は、空間的関係情報「contains」に対応する説明パターン「地点説明（２）」に従って、「福岡」の地図を取得する。そして、番組補助情報出力部２６は、「九州」の領域から「福岡」の領域までズームインする地図情報を出力する（図１３（ｈ）の１３１５参照）。
【０２８８】
次に、番組補助情報取得部２５は、「福岡」をキーにして、写真を取得する。そして、番組補助情報出力部２６は、当該「福岡」の写真を出力する（図１３（ｈ）の１３１６参照）。
【０２８９】
次に、キー情報取得部２１は、キー情報「鹿児島」を取得する。次に、シーン判断部２２は、シーンの切り替わりが発生していない、と判断する。そして、番組補助情報取得部２５は、「福岡」と「鹿児島」との包含関係「disjoint」を取得する。また、番組補助情報取得部２５は、地図情報格納部１０の地図情報を用いて、「福岡」「鹿児島」は、閾値より狭い「狭域」であり、閾値より広い距離が遠い「遠い」と判断した、とする。つまり、番組補助情報取得部２５は、空間的関係情報「disjoint-f（狭域）」を取得する。
【０２９０】
次に、番組補助情報取得部２５は、「disjoint-f（狭域）」に対応する説明パターン「経路説明」に従って、「福岡」「鹿児島」を含む地図を取得する。また、番組補助情報取得部２５は、「福岡」から「鹿児島」への経路探索を行い、経路情報を取得する。また、番組補助情報取得部２５は、当該経路情報に対応する各地点のストリートビューを順次取得する。そして、番組補助情報出力部２６は、「福岡」「鹿児島」を含む地図を出力し、かつ当該地図上に、「福岡」から「鹿児島」への経路探索を出力する（図１３（ｉ）の１３１７参照）。また、番組補助情報出力部２６は、「福岡」から「鹿児島」への経路を示すように、経路情報に対応する各地点のストリートビューを順次出力する（図１３（ｉ）の１３１８参照）。
【０２９１】
最後に、キー情報取得部２１は、キー情報「嘉例川駅」を取得する。次に、シーン判断部２２は、シーンの切り替わりが発生している、と判断する。一つ前の「鹿児島」という地名が出現してから１５秒以上経っているからである。そして、番組補助情報取得部２５等は、「嘉例川駅」単体での演出を行う。つまり、番組補助情報取得部２５は、「嘉例川駅」を含む地図を取得し、番組補助情報出力部２６は当該地図を出力する（図１３（ｊ）の１３１９参照）。また、番組補助情報取得部２５は、「嘉例川駅」をキーとして写真を取得し、番組補助情報出力部２６は当該写真を出力する（図１３（ｊ）の１３２０参照）。
【０２９２】
以上、本実施の形態によれば、出力中の番組を補助する番組補助情報を適切に出力できる。さらに具体的には、本実施の形態によれば、出力中の番組で出てくる地点情報の理解を増進するために、ストリートビュー、地図情報、写真等を適切に出力できる。
【０２９３】
なお、本実施の形態によれば、出力中の番組のジャンルに応じて、番組補助情報の出力態様を変更しても良い。例えば、番組のジャンルが「ニュース」場合は、他のジャンルの場合と比較して、番組の出力領域を狭くして、番組補助情報の出力領域を広くすることは好適である。また、例えば、番組のジャンルが「ニュース」場合、ストリートビューは表示せず、地図情報または／および写真を表示し、他のジャンルの場合はストリートビューも表示し得る、としても良い。なお、番組補助情報の出力態様の変更とは、レイアウトの変更、出力する番組補助情報の種類の変更等である。
【０２９４】
また、本実施の形態によれば、出力中の番組を補助する２種類以上の番組補助情報を適切に出力できる。
【０２９５】
また、本実施の形態によれば、出力中の番組を補助する地点関連情報を適切に出力できる。
【０２９６】
また、本実施の形態において、２種類以上の番組補助情報に出力の優先順位があり、番組補助情報出力部２６は、一の種類の番組補助情報を出力できない場合に、他の種類の番組補助情報を出力することは好適である。例えば、番組補助情報取得部２５が、取得された地点情報に対するストリートビューを取得できない場合に、当該地点情報に対する写真を取得し、番組補助情報出力部２６が当該写真を出力することは好適である。なお、かかる場合、ストリートビューが写真より優先順位が高いこととなる。
【０２９７】
なお、本実施の形態において、移動手段情報を用いて、出力する番組補助情報の種類を変更したり、番組補助情報の出力態様（例えば、レイアウト、出力時間等）を変更しても良い。例えば、移動手段情報「電車」が取得された場合、番組補助情報取得部２５は出発駅から終点駅までの路線の経路を取得し、番組補助情報出力部２６は当該経路の情報を取得しても良い。
【０２９８】
また、本実施の形態における情報処理装置２を実現するソフトウェアは、以下のようなプログラムである。つまり、このプログラムは、コンピュータを、出力中の番組に関連する情報であり、１または２以上のキー情報を含む番組関連情報を受信する番組関連情報受信部と、前記番組関連情報受信部が受信した番組関連情報から、予め決められたカテゴリーに属する用語である１または２以上のキー情報を取得するキー情報取得部と、前記キー情報取得部が取得したキー情報に対応する情報であり、前記番組の内容を補足する情報である番組補助情報を取得する番組補助情報取得部と、前記番組補助情報取得部が取得した番組補助情報を出力する番組補助情報出力部として機能させるためのプログラムである。
【０２９９】
また、上記プログラムにおいて、前記番組補助情報取得部は、２種類以上の番組補助情報を取得でき、前記番組補助情報出力部は、前記２種類以上の番組補助情報のうち、１または２種類以上の番組補助情報を出力するものとして、コンピュータを機能させるプログラムであることは好適である。
【０３００】
また、上記プログラムにおいて、前記番組補助情報取得部は、２以上のキー情報の関係に応じて、異なる種類の番組補助情報を取得する ものとして、コンピュータを機能させるプログラムであることは好適である。
【０３０１】
また、上記プログラムにおいて、前記２種類以上の番組補助情報に出力の優先順位があり、前記番組補助情報出力部は、一の種類の番組補助情報を出力できない場合に、他の種類の番組補助情報を出力するものとして、コンピュータを機能させるプログラムであることは好適である。
【０３０２】
また、上記プログラムにおいて、前記キー情報は、地点のカテゴリーに属する用語である地点情報であり、前記番組補助情報は、地点に関する情報である地点関連情報を含むものとして、コンピュータを機能させるプログラムであることは好適である。
【０３０３】
また、上記プログラムにおいて、前記番組補助情報取得部は、前記キー情報取得部が取得した２以上の各地点情報の空間的な関係を示す空間的関係情報を取得し、当該空間的関係情報を用いて、２以上の番組補助情報を連続して取得するものとして、コンピュータを機能させるプログラムであることは好適である。
【０３０４】
また、上記プログラムにおいて、コンピュータを、前記番組におけるシーンの切り替わりを判断するシーン判断部としてさらに機能させ、前記番組補助情報出力部は、前記シーン判断部が判断したシーンの切り替わりの際には、番組補助情報の連続した出力を行わないものとして、コンピュータを機能させるプログラムであることは好適である。
【０３０５】
また、上記プログラムにおいて、前記地点関連情報は、地点の写真、地点のストリートビュー、および地点の地図情報のうちの１種類以上の情報を含むものとして、コンピュータを機能させるプログラムであることは好適である。
【０３０６】
また、上記プログラムにおいて、前記地点関連情報は、地点のストリートビューを含み、前記２種類以上の番組補助情報に出力の優先順位があり、前記番組補助情報出力部は、前記キー情報取得部が取得したキー情報に対応するストリートビューが出力できない場合に、前記キー情報取得部が取得したキー情報に対応する他の種類の番組補助情報を出力するものとして、コンピュータを機能させるプログラムであることは好適である。
【０３０７】
また、上記プログラムにおいて、コンピュータを、前記番組の種類を取得する番組種類取得部としてさらに機能させ、前記番組補助情報出力部は、前記種類に応じて、出力する番組補助情報の種類を変える、または番組補助情報の出力態様を変えるものとして、コンピュータを機能させるプログラムであることは好適である。
【０３０８】
また、上記プログラムにおいて、前記キー情報取得部は、前記番組関連情報受信部が受信した番組関連情報から、コンピュータを、２以上のキー情報を取得し、前記２以上のキー情報を用いて、前記番組内で使用している移動手段の種類を示す移動手段情報を取得する移動手段情報取得部としてさらに機能させ、前記番組補助情報出力部は、前記移動手段情報に応じて、番組補助情報の出力態様を変えるものとして、コンピュータを機能させるプログラムであることは好適である。
【０３０９】
また、上記プログラムにおいて、コンピュータを、番組を受信する番組受信部と、前記番組受信部が受信した番組を出力する番組出力部としてさらに機能させ、前記番組補助情報出力部は、前記番組補助情報を前記番組と共に出力するものとして、コンピュータを機能させるプログラムであることは好適である。
【０３１０】
（実施の形態３）
本実施の形態において、番組関連情報から１以上のキー情報を取得し、当該１以上のキー情報を用いて、番組補助情報を出力する情報処理装置について説明する。なお、ここでのキー情報は、地点情報以外であり、例えば、出演者である。つまり、実施の形態２との相違点は、地点情報以外のキー情報を用いて、番組補助情報を取得する点である。
【０３１１】
図１４は、本実施の形態における情報処理装置３のブロック図である。情報処理装置３は、受付部１２、番組受信部１３、番組関連情報受信部１４、番組出力部１５、キー情報取得部３１、番組補助情報取得部３２、番組補助情報出力部２６を備える。
【０３１２】
キー情報取得部３１は、番組関連情報受信部１４が受信した番組関連情報から、予め決められたカテゴリーに属する用語である１または２以上のキー情報を取得する。ここで、カテゴリーは、例えば、人名（通常、出演者の名前や、番組で取り上げている人の名前等）である。
【０３１３】
番組補助情報取得部３２は、キー情報取得部３１が取得したキー情報に対応する情報であり、番組の内容を補足する情報である番組補助情報を取得する。ここで、番組補助情報とは、人に関する情報である人関連情報である。また、番組補助情報は、例えば、その人に関する写真、その人のブログである。なお、番組補助情報取得部３２は、２種類以上の番組補助情報を取得しても良い。
【０３１４】
番組補助情報取得部３２は、キー情報取得部３１が取得した２以上の人関連情報を用いて、写真を取得しても良い。例えば、番組補助情報取得部３２は、キー情報取得部３１が取得した２以上の人名を用いて、当該人が全員写っている写真を取得しても良い。番組補助情報取得部３２は、図示しない記録媒体に格納されている写真の集合から、写真を検索しても良い。かかる場合、写真には、写っている人の属性が付加されている。また、番組補助情報取得部３２は、Ｗｅｂ上の写真を、キー情報取得部３１が取得した１または２以上のキー情報をキーとして、検索しても良い。
【０３１５】
キー情報取得部３１、番組補助情報取得部３２は、通常、ＭＰＵやメモリ等から実現され得る。キー情報取得部３１の処理手順は、通常、ソフトウェアで実現され、当該ソフトウェアはＲＯＭ等の記録媒体に記録されている。但し、ハードウェア（専用回路）で実現しても良い。
【０３１６】
次に、情報処理装置３の動作について、図１５のフローチャートを用いて説明する。図１５のフローチャートにおいて、図７のフローチャートと同一のステップについて、説明を省略する。
【０３１７】
（ステップＳ１５０１）キー情報取得部３１は、番組関連情報から１または２以上の人関連情報を取得する。なお、ここで、人関連情報を取得できない場合もあり得る。人関連情報を取得できない場合は、ステップＳ２０１に戻る。
【０３１８】
（ステップＳ１５０２）番組補助情報取得部３２は、ステップＳ１５０１で取得された１または２以上の人関連情報を用いて、番組補助情報を取得する。
【０３１９】
（ステップＳ１５０３）番組補助情報出力部２６は、ステップＳ１５０２で取得された番組補助情報を出力する。ステップＳ２０１に戻る。
【０３２０】
（ステップＳ１５０４）番組補助情報取得部３２は、指示されたキー情報に対応する番組補助情報を取得する。
【０３２１】
（ステップＳ１５０５）番組補助情報出力部２６は、ステップＳ１５０４で取得された番組補助情報を出力する。ステップＳ２０１に戻る
【０３２２】
なお、図１５のステップＳ１５０２において、番組補助情報取得部３２は、２以上の人関連情報を用いて、番組補助情報を取得することは好適である。例えば、番組補助情報取得部３２は、２以上の人名を用いて、２以上の人が写っている写真を取得することは好適である。
【０３２３】
また、図１５のフローチャートにおいて、シーンの切り替わりが判断され、番組補助情報取得部３２は、一のシーン内の２以上の人関連情報を用いて、番組補助情報を取得することは好適である。なお、かかる場合、情報処理装置３はシーン判断部２２を具備する。
【０３２４】
また、図１５のフローチャートにおいて、電源オフや処理終了の割り込みにより処理は終了する。
【０３２５】
以上、本実施の形態によれば、出力中の番組を補助する番組補助情報を適切に出力できる。具体的には、本実施の形態によれば、出力中の番組の出演者の写真やブログを適切に出力できる。
【０３２６】
なお、本実施の形態において、番組補助情報取得部３２は、出力中の番組の出演者識別子を電子番組表から取得し、当該出演者識別子をキーとして、出演者の写真やブログを取得しても良い。かかる場合、情報処理装置３は、情報処理装置２と同様、電子番組表格納部２０を有する。
【０３２７】
なお、本実施の形態における情報処理装置３を実現するソフトウェアは、以下のようなプログラムである。つまり、このプログラムは、コンピュータを、出力中の番組に関連する情報であり、１または２以上のキー情報を含む番組関連情報を受信する番組関連情報受信部と、前記番組関連情報受信部が受信した番組関連情報から、予め決められたカテゴリーに属する用語である１または２以上のキー情報を取得するキー情報取得部と、前記キー情報取得部が取得したキー情報に対応する情報であり、前記番組の内容を補足する情報である番組補助情報を取得する番組補助情報取得部と、前記番組補助情報取得部が取得した番組補助情報を出力する番組補助情報出力部として機能させるためのプログラムである。
【０３２８】
また、上記プログラムにおいて、前記番組補助情報取得部は、２種類以上の番組補助情報を取得でき、前記番組補助情報出力部は、前記２種類以上の番組補助情報のうち、１または２種類以上の番組補助情報を出力するものとして、コンピュータを機能させるプログラムであることは好適である。
【０３２９】
また、上記プログラムにおいて、前記番組補助情報取得部は、２以上のキー情報の関係に応じて、異なる種類の番組補助情報を取得する ものとして、コンピュータを機能させるプログラムであることは好適である。
【０３３０】
また、上記プログラムにおいて、前記２種類以上の番組補助情報に出力の優先順位があり、前記番組補助情報出力部は、一の種類の番組補助情報を出力できない場合に、他の種類の番組補助情報を出力するものとして、コンピュータを機能させるプログラムであることは好適である。
【０３３１】
また、上記プログラムにおいて、前記キー情報は、人名のカテゴリーに属する用語である人名情報であり、前記番組補助情報は、人に関する情報である人関連情報を含むものとして、コンピュータを機能させるプログラムであることは好適である。
【０３３２】
また、上記プログラムにおいて、コンピュータを、番組を受信する番組受信部と、前記番組受信部が受信した番組を出力する番組出力部としてさらに機能させ、前記番組補助情報出力部は、前記番組補助情報を前記番組と共に出力するものとして、コンピュータを機能させるプログラムであることは好適である。
【０３３３】
（実施の形態４）
本実施の形態において、上記実施の形態とは、番組出力装置で出力中の番組を補助する番組補助情報を、番組出力装置とは異なる装置に出力できる点である。
【０３３４】
また、本実施の形態において、番組出力装置のリモコンに、番組出力装置で出力中の番組を補助する番組補助情報を出力できる情報処理システムについて説明する。
【０３３５】
図１６は、本実施の形態における情報処理システム３の概念図である。情報処理システム３は、番組出力装置３１、情報処理装置３２を備える。番組出力装置３１は、いわゆるテレビジョン受信機である。また、情報処理装置３２は、情報処理装置３２は、番組補助情報を出力するが、番組は出力しない。また、情報処理装置３２は、ここでは、テレビジョン受信機のリモコンの機能を備えるが、リモコンの機能を備えなくても良い。
【０３３６】
図１７は、本実施の形態における情報処理システム３のブロック図である。情報処理システム３を構成する番組出力装置３１は、制御信号受信部３１１、制御部３１２、番組受信部１３、番組出力部１５を備える。
【０３３７】
情報処理装置３２は、地図情報格納部１０、電子番組表格納部２０、指示受付部３２１、制御信号送信部３２２、チャネル番号取得部３２３、番組関連情報受信部１４、キー情報取得部３１、シーン判断部２２、番組種類取得部２３、移動手段情報取得部２４、番組補助情報取得部２５、番組補助情報出力部２６を備える。
【０３３８】
番組出力装置３１を構成する制御信号受信部３１１は、制御信号を受信する。制御信号受信部３１１は、通常、情報処理装置３２から制御信号を受信する。制御信号とは、番組出力装置３１を制御するための信号であり、チャネル変更、音量アップ、音量ダウン、電源オン、電源オフ等を指示する信号である。
【０３３９】
制御信号受信部３１１は、通常、赤外線等を用いた無線通信手段で実現される。
【０３４０】
制御部３１２は、制御信号受信部３１１が受信した制御信号等に従って、番組出力装置３１を制御する。
【０３４１】
制御部３１２は、通常、ＭＰＵやメモリ等から実現され得る。制御部３１２の処理手順は、通常、ソフトウェアで実現され、当該ソフトウェアはＲＯＭ等の記録媒体に記録されている。但し、ハードウェア（専用回路）で実現しても良い。
【０３４２】
情報処理装置３２を構成する指示受付部３２１は、番組出力装置３１を制御するための指示をユーザから受け付ける。指示とは、例えば、チャネルの変更指示、音量アップの指示、音量ダウンの指示、電源オンの指示、電源オフの指示等である。
【０３４３】
制御信号送信部３２２は、指示受付部３２１が受け付けた指示に応じて、番組出力装置３１に制御信号を送信する。
【０３４４】
制御信号送信部３２２は、通常、赤外線等を用いた無線通信手段で実現される。
【０３４５】
チャネル番号取得部３２３は、出力中の番組のチャネル番号を取得する。チャネル番号取得部３２３は、通常、指示受付部３２１が受け付けたチャネルの変更指示に対応するチャネル番号を取得する。
【０３４６】
チャネル番号取得部３２３は、通常、ＭＰＵやメモリ等から実現され得る。チャネル番号取得部３２３の処理手順は、通常、ソフトウェアで実現され、当該ソフトウェアはＲＯＭ等の記録媒体に記録されている。但し、ハードウェア（専用回路）で実現しても良い。
【０３４７】
次に、情報処理システム３を構成する情報処理装置３２の動作について、図１８のフローチャートを用いて説明する。なお、図１８のフローチャートにおいて、図１８のフローチャートと同一のステップについて、説明を省略する。また、番組出力装置３１の動作は、通常のテレビジョン受信機の動作と同様であるので、説明を省略する。
【０３４８】
（ステップＳ１８０１）指示受付部３２１が受け付けた指示は、番組出力装置３１の制御指示であるか否かを判断する。制御指示であればステップＳ１８０２に行き、制御指示でなければステップＳ７０５に行く。
【０３４９】
（ステップＳ１８０２）制御信号送信部３２２は、制御指示に対応する制御信号を番組出力装置３１に送信する。ステップＳ２０３に戻る。
【０３５０】
なお、図１８のフローチャートにおいて、電源オフや処理終了の割り込みにより処理は終了する。
【０３５１】
以上、本実施の形態によれば、番組出力装置３１で出力中の番組を補助する番組補助情報を、番組出力装置３１とは異なる装置である情報処理装置３２に適切に出力できる。
【０３５２】
また、本実施の形態によれば、番組出力装置３１のリモコンに、番組出力装置３１で出力中の番組を補助する番組補助情報を適切に出力できる
【０３５３】
なお、本実施の形態における情報処理装置３２を実現するソフトウェアは、以下のようなプログラムである。つまり、このプログラムは、コンピュータを、出力中の番組に関連する情報であり、１または２以上のキー情報を含む番組関連情報を受信する番組関連情報受信部と、前記番組関連情報受信部が受信した番組関連情報から、予め決められたカテゴリーに属する用語である１または２以上のキー情報を取得するキー情報取得部と、前記キー情報取得部が取得したキー情報に対応する情報であり、前記番組の内容を補足する情報である番組補助情報を取得する番組補助情報取得部と、前記番組補助情報取得部が取得した番組補助情報を出力する番組補助情報出力部として機能させるためのプログラムである。
【０３５４】
また、上記プログラムにおいて、コンピュータを、前記番組のチャネル番号を取得するチャネル番号取得部としてさらに機能させ、前記キー情報取得部は、前記チャネル番号に対応する番組関連情報から、予め決められたカテゴリーに属する用語である１または２以上のキー情報を取得するものとして、コンピュータを機能させるプログラムであることは好適である。
【０３５５】
また、上記プログラムにおいて、コンピュータを、前記番組出力装置を制御するための指示を受け付ける指示受付部と、前記指示受付部が受け付けた指示に応じて、前記番組出力装置に制御信号を送信する制御信号送信部としてさらに機能させ、前記指示は、チャネルの変更指示を含み、前記チャネル番号取得部は、前記指示受付部が受け付けたチャネルの変更指示に対応するチャネル番号を取得するものとして、コンピュータを機能させるプログラムであることは好適である。
【０３５６】
また、図１９は、本明細書で述べたプログラムを実行して、上述した種々の実施の形態の番組受信装置、情報処理装置等を実現するコンピュータの外観を示す。上述の実施の形態は、コンピュータハードウェア及びその上で実行されるコンピュータプログラムで実現され得る。図１９は、このコンピュータシステム３００の概観図であり、図２０は、システム３００のブロック図である。
【０３５７】
図１９において、コンピュータシステム３００は、ＣＤ−ＲＯＭドライブを含むコンピュータ３０１と、キーボード３０２と、マウス３０３と、モニタ３０４とを含む。
【０３５８】
図２０において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０３５９】
コンピュータシステム３００に、上述した実施の形態の情報処理装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０３６０】
プログラムは、コンピュータ３０１に、上述した実施の形態の情報処理装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０３６１】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０３６２】
また、上記プログラムを実行するコンピュータは、単数であってもよく、複数であってもよい。すなわち、集中処理を行ってもよく、あるいは分散処理を行ってもよい。
【０３６３】
また、上記各実施の形態において、一の装置に存在する２以上の通信手段は、物理的に一の媒体で実現されても良いことは言うまでもない。
【０３６４】
また、上記各実施の形態において、各処理は、単一の装置によって集中処理されることによって実現されてもよく、あるいは、複数の装置によって分散処理されることによって実現されてもよい。
【０３６５】
本発明は、以上の実施の形態に限定されることなく、種々の変更が可能であり、それらも本発明の範囲内に包含されるものであることは言うまでもない。
【産業上の利用可能性】
【０３６６】
以上のように、本発明にかかる情報処理装置等は、出力中の番組を補助する番組補助情報を適切に出力できる、という効果を有し、テレビジョン装置等として有用である。
【符号の説明】
【０３６７】
１  番組受信装置
２、３、３２  情報処理装置
３  情報処理システム
１０  地図情報格納部
１１  地点関連情報格納部
１２  受付部
１３  番組受信部
１４  番組関連情報受信部
１５  番組出力部
１６  地点情報取得部
１７  地点関連情報取得部
１８  地点関連情報出力部
２０  電子番組表格納部
２１、３１  キー情報取得部
２２  シーン判断部
２３  番組種類取得部
２４  移動手段情報取得部
２５、３２  番組補助情報取得部
２６  番組補助情報出力部
３１  番組出力装置
１７１  ストリートビュー取得手段
１７２  地図情報取得手段
１８１  ストリートビュー出力手段
１８２  地図情報出力手段
１８３  地点情報出力手段
３１１  制御信号受信部
３１２  制御部
３２１  指示受付部
３２２  制御信号送信部
３２３  チャネル番号取得部
【図１】
2015156630.tif 000003
【図２】
2015156630.tif 000004
【図３】
2015156630.tif 000005
【図６】
2015156630.tif 000006
【図７】
2015156630.tif 000007
【図８】
2015156630.tif 000008
【図９】
2015156630.tif 000009
【図１０】
2015156630.tif 000010
【図１１】
2015156630.tif 000011
【図１４】
2015156630.tif 000012
【図１５】
2015156630.tif 000013
【図１７】
2015156630.tif 000014
【図１８】
2015156630.tif 000015
【図１９】
2015156630.tif 000016
【図２０】
2015156630.tif 000017
【図４】
2015156630.tif 000018
【図５】
2015156630.tif 000019
【図１２】
2015156630.tif 000020
【図１３】
2015156630.tif 000021
【図１６】
2015156630.tif 000022